(57)【要約】【課題】検者の能力や癖を把握して検査品質の担保・向上を図る。【解決手段】実施形態の眼科検査システムは、複数の眼科検査装置と、複数の検者端末と、記録手段と、検索手段と、出力制御手段とを含む。記録手段は、眼科検査装置と検者端末との間でやりとりされた情報の少なくとも一部を含む検査情報を、当該検者端末の識別情報又は当該検者の識別情報と関連付けて記録する。検索手段は、検者端末の識別情報又は検者の識別情報の入力を受け、当該識別情報に関連付けられた検査情報を記録手段から検索する。出力制御手段は、検索手段により検索された検査情報に基づいて出力手段に情報を出力させる。【選択図】図５
2018143526.tif 000002
【特許請求の範囲】
【請求項１】
複数の眼科検査装置と、
複数の検者端末と、
眼科検査装置と検者端末との間でやりとりされた情報の少なくとも一部を含む検査情報を、当該検者端末の識別情報又は当該検者の識別情報と関連付けて記録する記録手段と、
検者端末の識別情報又は検者の識別情報の入力を受け、当該識別情報に関連付けられた検査情報を前記記録手段から検索する検索手段と、
前記検索手段により検索された前記検査情報に基づいて出力手段に情報を出力させる出力制御手段と
を含む眼科検査システム。
【請求項２】
前記複数の検者端末のそれぞれはユーザインターフェイスを含み、
前記出力手段は表示手段を含み、
前記出力制御手段は、前記ユーザインターフェイスの少なくとも一部を表すユーザインターフェイス情報とともに前記検査情報に基づく情報を前記表示手段に表示させる
ことを特徴とする請求項１に記載の眼科検査システム。
【請求項３】
前記出力制御手段は、前記ユーザインターフェイス情報の表示制御と前記検査情報に基づく情報の表示制御とを同期的に実行する
ことを特徴とする請求項２に記載の眼科検査システム。
【請求項４】
前記出力手段は表示手段を含み、
前記出力制御手段は、前記検査情報に基づいて、当該検査における複数のイベントを時系列順に示すイベント情報を前記表示手段に表示させる
ことを特徴とする請求項１に記載の眼科検査システム。
【請求項５】
第１操作手段を更に含み、
前記イベント情報に示された前記複数のイベントのいずれかが前記第１操作手段を用いて指定されたとき、前記出力制御手段は、指定されたイベントに対応する情報を前記検査情報から特定し、特定された前記情報に基づいて前記出力手段を制御する
ことを特徴とする請求項４に記載の眼科検査システム。
【請求項６】
前記複数の検者端末の少なくとも一部が前記出力手段を含む
ことを特徴とする請求項１〜５のいずれかに記載の眼科検査システム。
【請求項７】
前記出力制御手段は、前記検査情報に基づく情報を複数の前記出力手段に同期的に出力させる
ことを特徴とする請求項１〜請求項６のいずれかに記載の眼科検査システム。
【請求項８】
前記記録手段は、前記眼科検査装置を用いた検査における複数のイベントに対応する複数の情報を時間情報と関連付けて記録することにより前記検査情報を生成する
ことを特徴とする請求項１〜７のいずれかに記載の眼科検査システム。
【請求項９】
前記出力制御手段は、前記時間情報を参照することにより、前記複数のイベントの時間的順序にしたがって前記複数の情報に基づく前記出力手段の制御を順次に実行する
ことを特徴とする請求項８に記載の眼科検査システム。
【請求項１０】
第２操作手段を更に含み、
前記複数のイベントのいずれかが前記第２操作手段を用いて指定されたとき、前記出力制御手段は、指定されたイベントに対応する情報を前記複数の情報のうちから特定し、特定された前記情報に基づいて前記出力手段を制御する
ことを特徴とする請求項８又は９に記載の眼科検査システム。
【請求項１１】
複数の眼科検査装置のそれぞれ及び複数の検者端末のそれぞれと通信可能な眼科検査管理装置であって、
眼科検査装置と検者端末との間でやりとりされた情報の少なくとも一部を含む検査情報を、当該検者端末の識別情報又は当該検者の識別情報と関連付けて記録する記録手段と、
検者端末の識別情報又は検者の識別情報の入力を受け、当該識別情報に関連付けられた検査情報を前記記録手段から検索する検索手段と、
前記検索手段により検索された前記検査情報に基づいて出力手段に情報を出力させる出力制御手段と
を含む眼科検査管理装置。
【発明の詳細な説明】
【技術分野】
【０００１】
本発明は、眼科検査システム及び眼科検査管理装置に関する。
【背景技術】
【０００２】
眼科検査装置は、医療機関、眼鏡店、健康診断や検診の会場、患者宅などにおいて、眼の検査（特性の測定、撮影等）に用いられる。眼科検査装置の典型的な例として以下が挙げられる。
・提示された視標に対する応答に基づき視力を測定する視力検査装置
・眼球の屈折特性を測定する眼屈折検査装置（レフラクトメータ、ケラトメータ）
・眼圧を測定するための眼圧計
・角膜の特性（角膜厚、細胞分布等）を得るためのスペキュラーマイクロスコープ
・ハルトマン−シャックセンサを用いて眼球の収差情報を得るウェーブフロントアナライザ
・視野障害を検出するための視野計やマイクロペリメータ
・光干渉を利用して眼底や前眼部の断面像や３次元データ、解析データを得るため光干渉断層計（ＯＣＴ）
・眼底を写真撮影するための眼底カメラ
・共焦点光学系を用いたレーザ走査により眼底の画像を得るための走査型レーザ検眼鏡（Ｓｃａｎｎｉｎｇ  Ｌａｓｅｒ  Ｏｐｈｔｈａｌｍｏｓｃｏｐｅ、ＳＬＯ）
・２以上の機能を組み合わせた複合機
【０００３】
多くの眼科検査では、検者が被検者に指示を出したり眼科検査装置の操作を行ったりする。近年、眼科検査装置の設置場所と異なる場所にいる検者が被検者や眼科検査装置に指示を出しつつ検査を行う遠隔検査が普及してきている（例えば特許文献１−６を参照）。遠隔検査では、検者から被検者に対して視覚的指示や聴覚的指示が与えられる。
【先行技術文献】
【特許文献】
【０００４】
【特許文献１】特開２００１−２８６４４２号公報
【特許文献２】特開２００２−１０９７８号公報
【特許文献３】特開２００２−７８６７９号公報
【特許文献４】特開２００２−７８６８１号公報
【特許文献５】特開２００５−３４２０４２号公報
【特許文献６】国際公開第２００３／０４１５７２号
【発明の概要】
【発明が解決しようとする課題】
【０００５】
眼科検査には様々な種類があり、例えば視標を用いた自覚検査のように熟練を要する検査も少なからず存在する。
【０００６】
一方、遠隔検査では、様々な場所に分散的に配置された複数の眼科検査装置のそれぞれに、複数の検者（又は検者端末）のいずれかが割り当てられる。このような遠隔検査の品質を担保・向上するには、各検者の能力や癖を把握することが必要である。
【０００７】
全ての検者端末が専門施設等に設置されている場合には、各検者の能力を評価することや能力向上を図ることは難しくない。しかし、遠隔検査では、一般に、複数の検者端末が様々な場所に分散的に配置されているため、検者の能力を担保・向上することは困難であった。
【０００８】
本発明の目的は、検者の能力や癖を把握して検査品質の担保・向上を図ることが可能な眼科検査システム及び眼科検査管理装置を提供することにある。
【課題を解決するための手段】
【０００９】
実施形態の第１の態様は、複数の眼科検査装置と、複数の検者端末と、記録手段と、検索手段と、出力制御手段とを含む眼科検査システムである。記録手段は、眼科検査装置と検者端末との間でやりとりされた情報の少なくとも一部を含む検査情報を、当該検者端末の識別情報又は当該検者の識別情報と関連付けて記録する。検索手段は、検者端末の識別情報又は検者の識別情報の入力を受け、当該識別情報に関連付けられた検査情報を記録手段から検索する。出力制御手段は、検索手段により検索された検査情報に基づいて出力手段に情報を出力させる。
実施形態の第２の態様において、複数の検者端末のそれぞれはユーザインターフェイスを含む。出力手段は表示手段を含む。出力制御手段は、ユーザインターフェイスの少なくとも一部を表すユーザインターフェイス情報とともに検査情報に基づく情報を表示手段に表示させる。
実施形態の第３の態様において、出力制御手段は、ユーザインターフェイス情報の表示制御と検査情報に基づく情報の表示制御とを同期的に実行する。
実施形態の第４の態様において、出力手段は表示手段を含む。出力制御手段は、検査情報に基づいて、当該検査における複数のイベントを時系列順に示すイベント情報を表示手段に表示させる。
実施形態の第５の態様において、眼科検査システムは、第１操作手段を更に含む。イベント情報に示された複数のイベントのいずれかが第１操作手段を用いて指定されたとき、出力制御手段は、指定されたイベントに対応する情報を検査情報から特定し、特定された情報に基づいて出力手段を制御する。
実施形態の第６の態様において、複数の検者端末の少なくとも一部が出力手段を含む。
実施形態の第７の態様において、出力制御手段は、検査情報に基づく情報を複数の出力手段に同期的に出力させる。
実施形態の第８の態様において、記録手段は、眼科検査装置を用いた検査における複数のイベントに対応する複数の情報を時間情報と関連付けて記録することにより検査情報を生成する。
実施形態の第９の態様において、出力制御手段は、時間情報を参照することにより、複数のイベントの時間的順序にしたがって複数の情報に基づく出力手段の制御を順次に実行する。
実施形態の第１０の態様において、眼科検査システムは、第２操作手段を更に含む。複数のイベントのいずれかが第２操作手段を用いて指定されたとき、出力制御手段は、指定されたイベントに対応する情報を複数の情報のうちから特定し、特定された情報に基づいて出力手段を制御する。
実施形態の第１１の態様は、複数の眼科検査装置のそれぞれ及び複数の検者端末のそれぞれと通信可能な眼科検査管理装置である。眼科検査管理装置は、記録手段と、検索手段と、出力制御手段とを含む。記録手段は、眼科検査装置と検者端末との間でやりとりされた情報の少なくとも一部を含む検査情報を、当該検者端末の識別情報又は当該検者の識別情報と関連付けて記録する。検索手段は、検者端末の識別情報又は検者の識別情報の入力を受け、当該識別情報に関連付けられた検査情報を記録手段から検索する。出力制御手段は、検索手段により検索された検査情報に基づいて出力手段に情報を出力させる。
【発明の効果】
【００１０】
実施形態によれば、検者の能力や癖を把握して検査品質の担保・向上を図ることができる。
【図面の簡単な説明】
【００１１】
【図１Ａ】実施形態に係る眼科検査システムの構成の一例を表す概略図。
【図１Ｂ】実施形態に係る眼科検査システムの構成の一例を表す概略図。
【図２】実施形態に係る眼科検査システムの構成の一例を表す概略図。
【図３】実施形態に係る眼科検査システムの構成の一例を表す概略図。
【図４】実施形態に係る眼科検査システムの構成の一例を表す概略図。
【図５】実施形態に係る眼科検査システムの構成の一例を表す概略図。
【図６】実施形態に係る眼科検査システムの使用形態の一例を表すシーケンス図。
【図７】実施形態に係る眼科検査システムの使用形態の一例を表すシーケンス図。
【図８Ａ】実施形態に係る眼科検査システムの使用形態を説明するための概略図。
【図８Ｂ】実施形態に係る眼科検査システムの使用形態を説明するための概略図。
【図９】実施形態に係る眼科検査システムの使用形態を説明するための概略図。
【図１０】実施形態に係る眼科検査システムの使用形態の一例を表すシーケンス図。
【図１１】実施形態に係る眼科検査システムの使用形態を説明するための概略図。
【図１２】実施形態に係る眼科検査システムの使用形態を説明するための概略図。
【発明を実施するための形態】
【００１２】
本発明の典型的な実施形態の幾つかの例を説明する。なお、この明細書にて引用された文献の内容及び任意の公知技術を実施形態に援用することができる。
【００１３】
実施形態の眼科検査システムは、各種の施設に設置された眼科検査装置や、可搬型の眼科検査装置を用いた遠隔検査に用いられる。実施形態における遠隔検査では、各種の検者が検査をアシストする。検者の種別として、内部検者や外部検者がある。
【００１４】
内部検者は、眼科検査装置が設置された施設の内部にて検査をアシストする検者である。典型的には、内部検者は、タブレット端末やウェアラブルデバイス（例えば無線型イヤフォン）を用いて、当該施設内にて検査を受けている全て又は一部の被検者の状況を把握して指示を送る。被検者は、内部検者からの指示に基づいて検査を進めることができる。内部検者により使用される情報処理装置を内部検者端末と呼ぶ。
【００１５】
外部検者は、眼科検査装置が設置された施設の外部から検査をアシストする検者である。典型的には、外部検者は、検査を管理するための施設（管理センタ）から、又は、管理センタの外部から、アシストを行うよう構成することができる。管理センタの外部の例として、外部検者の自宅がある。外部検者は、管理センタや自宅等に設置された情報処理装置を用いて、現在検査を受けている全て又は一部の被検者の状況を把握して指示を送る。被検者は、外部検者からの指示に基づいて検査を進めることができる。外部検者により使用される情報処理装置を外部検者端末と呼ぶ。
【００１６】
なお、内部検者端末及び／又は外部検者端末は、検者の評価や指導を行う者により使用される情報処理装置を含んでもよい。このような者を評価担当者と呼ぶことにする。評価担当者は、検者としての役割を担う者であってもよいし、担わない者であってもよい。検者としての役割を担わない評価担当者は、検者の評価者・指導者としての役割や、過去に実施された検査や現在行われている検査の評価者・検証者としての役割を担う。
【００１７】
眼科検査装置が設置される施設の例として、医療機関、眼鏡店、健康診断会場、検診会場、患者の自宅、福祉施設、公共施設、検診車などがある。つまり、眼科検査装置が設置される施設には、医療機関等の固定型施設と、検診車等の移動型施設との少なくとも一方が含まれてよい。また、検者から被検者に送られる指示には、検査の進め方に関する支援や、眼科検査装置の操作や、被検者への助言などが含まれてよい。また、検者が他の検者に指示等を送ることや、評価担当者が検者に指示等を送ることもできる。典型的には、非熟練者である内部検者を、熟練者である外部検者（評価担当者）がアシストすることができる。
【００１８】
眼科検査装置は、被検眼の検査に用いられる任意の装置であってよく、眼科測定装置としての機能及び眼科撮影装置としての機能の少なくとも一方を備えてよい。眼科測定装置は、被検眼の特性を測定するための装置である。眼科測定装置の例として、視力検査装置（視標呈示装置、フォロプタ等）、眼屈折検査装置（レフラクトメータ、ケラトメータ等）、眼圧計、スペキュラーマイクロスコープ、ウェーブフロントアナライザ、視野計、マイクロペリメータなどがある。また、眼科撮影装置は、被検眼を画像化するための装置である。眼科撮影装置の例として、ＯＣＴ、眼底カメラ、ＳＬＯなどがある。更に、眼科検査装置は、測定データや撮影画像を処理及び／又は解析するためのアプリケーションを備えていてもよい。
【００１９】
〈眼科検査システムの構成〉
実施形態に係る眼科検査システムの構成の例を説明する。図１Ａに例示された眼科検査システム１は、検査が行われるＮ個の施設（第１施設〜第Ｎ施設）と管理装置４と外部検者端末５ｍ（ｍ＝１〜Ｍ：Ｍは１以上の整数）とを結ぶネットワーク（通信回線１００）を利用して構築されている。
【００２０】
各施設（第ｎ施設：ｎ＝１〜Ｎ、Ｎは１以上の整数）には、１以上の眼科検査装置２−ｉｎ（ｉｎ＝１〜Ｋｎ、Ｋｎは１以上の整数）が設置されている。眼科検査装置２−ｉｎは、眼科検査システム１に含まれる。なお、眼科検査システム１は、眼科以外の検査を実施可能な検査装置を含んでいてもよい。
【００２１】
本例の眼科検査装置２−ｉｎは、被検者（被検眼）の検査を実施する「検査装置」としての機能と、各種データ処理や外部装置との通信を行う「コンピュータ」としての機能の双方を備えている。他の例において、検査装置とコンピュータとを別々に設けられていてよい。この場合、検査装置とコンピュータとは互いに通信可能に構成される。検査装置の数とコンピュータの数とはそれぞれ任意である。例えば、単一のコンピュータと複数の検査装置とが設けられていてよい。
【００２２】
Ｎ個の施設（第１施設〜第Ｎ施設）のうちの少なくとも一部には、内部検者により使用される情報処理装置（内部検者端末）が設置されている。図１Ａに示す例では、第１施設及び第Ｎ施設には内部検者端末が設置されておらず、第ｎ施設には内部検者端末３−ｎが設置されている。
【００２３】
内部検者端末３−ｎは、第ｎ施設において使用されるコンピュータである。内部検者端末３−ｎは、例えば、タブレット端末やスマートフォン等のモバイル端末、無線型イヤフォン等のウェアラブルデバイス、及び、第ｎ施設に設置されたサーバ（施設内サーバ等）のうちの少なくとも１以上を含んでいてよい。なお、内部検者端末３−ｎは、第ｎ施設においてその機能を実現可能なコンピュータであれば十分であり、例えば、第ｎ施設の外部に設置されたコンピュータ（クラウドサーバ等）を含んでいてもよい。
【００２４】
眼科検査装置２−ｉｎと内部検者端末３−ｎとは、第ｎ施設内に構築されたネットワーク（施設内ＬＡＮ等）や、広域ネットワーク（インターネット等）や、近距離通信技術を介して通信を行えるように構成されてよい。
【００２５】
眼科検査装置２−ｉｎは、サーバとしての機能を備えていてよい。この構成が適用される場合、眼科検査装置２−ｉｎと内部検者端末３−ｎとが直接に通信を行うように構成することができる。この場合、内部検者端末３−ｎと管理装置４との間で通信を行う機能を設ける必要はない。つまり、管理装置４と内部検者端末３−ｎとの間の通信を眼科検査装置２−ｉｎを経由して行うように構成することが可能である。
【００２６】
眼科検査システム１は、管理装置４を含んでいてよい。典型的には、管理装置４は管理センタに設置される。管理装置４は、通信回線１００（ＬＡＮ、広域ネットワーク等）を介して外部検者端末５ｍと通信が可能である。更に、管理装置４は、第１〜第Ｎ施設に設置された眼科検査装置２−ｉｎと、通信回線１００（広域ネットワーク等）を介して通信が可能である。
【００２７】
管理装置４は、複数の眼科検査装置２−ｉｎの少なくとも１つと、複数の検者端末（内部検者端末３−ｎ及び外部検者端末５ｍが含まれる）の少なくとも１つと間の通信を制御する。第１の例において、管理装置４は、複数の眼科検査装置２−ｉｎのうちの１つと、内部検者端末３−ｎとの間の通信を制御する。第２の例において、管理装置４は、複数の眼科検査装置２−ｉｎのうちの１つと、外部検者端末５ｍとの間の通信を制御する。第３の例において、管理装置４は、複数の眼科検査装置２−ｉｎのうちの１つと、内部検者端末３−ｎと、外部検者端末５ｍとを含む３つの装置の間の通信を制御する。第４の例において、管理装置４は、複数の眼科検査装置２−ｉｎのうちの１つと、２つの内部検者端末３−ｎとを含む３つの装置の間の通信を制御する。第５の例において、管理装置４は、複数の眼科検査装置２−ｉｎのうちの１つと、２つの外部検者端末５ｍとを含む３つの装置の間の通信を制御する。
【００２８】
このような通信態様に加え、管理装置４は、１つ以上の内部検者端末３−ｎと１つ以上の外部検者端末５ｍとの間の通信の制御、２つ以上の内部検者端末３−ｎの間、２つ以上の外部検者端末５ｍの間の通信の制御、及び、２つ以上の眼科検査装置２−ｉｎの間の通信の制御のうちの少なくとも１つを実行可能である。
【００２９】
管理装置４は、眼科検査装置２−ｉｎと検者端末との間の通信を中継する機能と、２つの検者端末の間の通信を中継する機能と、２つの眼科検査装置２−ｉｎの間の通信を中継する機能とを備えていてよい。
【００３０】
管理装置４は、眼科検査装置２−ｉｎと検者端末との間でやりとりされた情報の少なくとも一部を記録する機能を含んでいてよい。記録された情報を検査情報と呼ぶ。検査情報は、眼科検査装置２−ｉｎから検者端末に送信された情報の少なくとも一部を含んでよい。また、検査情報は、検者端末から眼科検査装置２−ｉｎに送信された情報の少なくとも一部を含んでよい。
【００３１】
検査情報は、眼科検査装置２−ｉｎと検者端末との間のやりとりに関する任意の情報を含んでよい。このような情報の例として、眼科検査装置２−ｉｎと検者端末との間の通信が確立されているときに眼科検査装置２−ｉｎの内部又は検者端末の内部において処理された任意の情報がある。その典型的な例として、当該装置の内部要素又は外部装置を制御するための情報（制御情報）と、当該装置に入力された情報（入力情報）と、入力情報を処理して得られた情報（処理結果）とがある。
【００３２】
制御情報は、例えば、被検眼の検査において当該装置を制御するための制御情報、当該装置に設けられた出力装置（表示装置、印刷装置等）に情報を出力させるための制御情報、当該装置に接続された出力装置に情報を出力させるための制御情報などを含む。
【００３３】
入力情報は、例えば、ユーザが当該装置に入力した情報、ユーザが当該装置を操作するために入力した指示を表す情報、外部装置が当該装置に入力した情報などを含む。
【００３４】
処理結果は、例えば、被検眼の過去の検査で得られた結果の処理結果、被検眼の過去の画像の処理結果、ユーザが当該装置に入力した指示の適否の判定結果などを含む。
【００３５】
管理装置４は、眼科検査装置２−ｉｎと検者端末とを対応付ける機能、つまり、眼科検査装置２−ｉｎのそれぞれに検者を割り当てる機能を備えていてよい。眼科検査装置２−ｉｎと検者端末との間の対応付けは、一対一対応、多対一対応、及び、一対多対応のいずれでもよい。また、管理装置４は、眼科検査装置２−ｉｎと検者端末との間の通信の内容に既定のミスが発生したことを検知する機能と、これを記録する機能と、当該検者端末及び／又は他の検者端末に警告を通知する機能とを備えていてよい。
【００３６】
管理装置４は、１以上のコンピュータを含む。管理装置４が複数のコンピュータを含む場合の例を図１Ｂに示す。図１Ｂに示す管理装置４は、マスター管理装置６とＲ個のローカル管理装置７−ｒとを含む（Ｒは２以上の整数）。マスター管理装置６と各ローカル管理装置７−ｒとは、通信回線１００を介して通信が可能である。また、２以上のローカル管理装置６が通信回線１００を介して通信可能であってもよい。
【００３７】
マスター管理装置６は、第１〜第Ｎ施設のそれぞれに設置された装置（少なくとも眼科検査装置２−ｉｎが含まれる。内部検者端末３−ｎが更に含まれてもよい。）と、通信回線１００を介して通信が可能である。マスター管理装置６は、管理センタの内部又は外部に設置される。また、マスター管理装置６は、２以上の情報処理装置を含んでいてよい。
【００３８】
１つの例において、２以上の管理センタが設けられていてよい。ローカル管理装置７−ｒは、例えば、いずれかの管理センタに設置される。当該管理センタ内に１以上の外部検者端末５ｍが設置されている場合、ローカル管理装置７−ｒは、当該外部検者端末５ｍのそれぞれを管理することができる。マスター管理装置６は、ローカル管理装置７−ｒのそれぞれを管理する。
【００３９】
管理装置４の構成については後述する。管理装置４が複数のコンピュータを含む場合、後述の管理装置４の構成要素が複数のコンピュータに分散配置される。また、任意の構成要素を２以上のコンピュータに重複的に設けることができる。それにより、例えば分散処理や冗長化が実現される。
【００４０】
検者端末（内部検者端末３−ｎ、外部検者端末５ｍ等）のそれぞれは、複数の眼科検査装置２−ｉｎのいずれかを用いて実施されている検査を指導・管理する検者が使用するコンピュータを含む。
【００４１】
〈眼科検査装置の構成〉
眼科検査装置２−ｉｎの構成について説明する。図２に例示された眼科検査装置２は、図１Ａに示す複数の眼科検査装置２−ｉｎのそれぞれに相当する。同様に、内部検者端末３−ｎのそれぞれを内部検者端末３と記載し、外部検者端末５ｍのそれぞれを外部検者端末５と記載することがある。
【００４２】
眼科検査装置２は、制御部２０と、検査部２１と、検査状況情報生成部２２ａと、通信要求生成部２２ｂと、ユーザインターフェイス（ＵＩ）部２３と、通信部２４とを備える。これら構成要素は、一体的に（つまり単一の筐体内に）設けられていてもよいし、２以上の筐体内に分散配置されていてもよい。前者の例として、レフラクトメータ、ケラトメータ、眼圧計、スペキュラーマイクロスコープ、ウェーブフロントアナライザ、視野計、マイクロペリメータ、ＯＣＴ、眼底カメラ、ＳＬＯなどがある。後者の例として、視標呈示装置とフォロプタとを含む視力検査装置がある。また、制御部２０の一部又は全部をパーソナルコンピュータや携帯端末に設けることができる。また、ユーザインターフェイス部２３の一部又は全部を、パーソナルコンピュータ、携帯端末、テレビ受像機、スマートテレビなどに設けることができる。
【００４３】
〈制御部２０〉
制御部２０は、各種の制御や演算を実行する。制御部２０はプロセッサを含む。なお、本明細書において「プロセッサ」は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路を意味する。制御部２０は、例えば、記憶回路や記憶装置に格納されているプログラムを読み出し実行することで、実施形態に係る機能を実現する。制御部２０は、更に、ＲＡＭ、ＲＯＭ、ハードディスクドライブ、ソリッドステートドライブなどを含んでいてよい。
【００４４】
〈出力制御部２０１〉
制御部２０は出力制御部２０１を備える。出力制御部２０１は、内部検者端末３又は外部検者端末５から眼科検査装置２に送信された情報を出力するための制御を行う。出力される情報の例として視覚情報と音声情報がある。視覚情報は、視覚系により認識される情報であり、文字列情報や画像情報を含む。文字列情報は、例えば、検者の指示を表す文字メッセージを含む。画像情報は、例えば、検者の顔や手の動画像や、検者の指示を表すマークを含む。出力制御部２０１は、後述の液晶ディスプレイ（ＬＣＤ）２１４や表示装置２３１を制御することにより視覚情報を出力させる。音声情報は、聴覚系により認識される情報であり、警告音や音声メッセージを含む。出力制御部２０１は、後述の音声出力装置２３３を制御することにより聴覚情報を出力させる。出力制御部２０１が実行する処理の具体例は後述される。
【００４５】
〈検査部２１〉
検査部２１は、制御部２０による制御を受けて被検眼の検査を実行する。検査部２１は、眼科検査装置２の種別に応じた構成を備える。検査部２１の構成は、公知の構成の少なくとも一部であってよく、或いは公知の構成を含んでよい。検査部２１は、以下のような光学系と、図示しない機構（アクチュエータ、動力伝達機構等）を含む。
【００４６】
検査部２１が被検眼Ｅの特性を測定する機能を備える場合、検査部２１は、例えば、被検眼に光を投射するための光学系を少なくとも備え、被検眼に投射された光の戻り光を検出するための光学系を更に備える。更に、検査部２１は、被検眼に固視標を投影するための光学系や、アライメントを行うための光学系や、フォーカシングを行うための光学系など、各種機能の光学系を備えていてよい。また、検査部２１は、戻り光の検出結果（画像信号、映像信号等）を処理するためのプロセッサを含んでよい。
【００４７】
検査部２１が被検眼Ｅを撮影する機能を備える場合、検査部２１は、例えば、被検眼に光を投射するための光学系と、被検眼に投射された光の戻り光を検出するための光学系とを含む。更に、検査部２１は、測定機能の場合と同様に、各種の光学系を含んでよい。また、検査部２１は、戻り光の検出結果（画像信号、映像信号等）を処理するためのプロセッサを含んでよい。
【００４８】
以上のような光学系は検査光学系２１１に相当する。検査光学系２１１は、光学素子２１２と投射系２１３とを含む。光学素子２１２は、投射系２１３から出力された光束を被検眼Ｅに導くために被検眼Ｅに適用される。光学素子２１２は、例えば、レンズ（対物レンズ等）、プリズム（対物プリズム等）、凹面鏡（放物面鏡等）、ガラス板などの各種光学素子のいずれかを含んでよい。
【００４９】
投射系２１３は、被検眼Ｅを検査するための光束（検査光束）を光学素子２１２を介して被検眼Ｅに投射する。投射系２１３にはＬＣＤ２１４が設けられている。ＬＣＤ２１４は、制御部２０の制御を受けて動作する。ＬＣＤ２１４は、検査に用いられる情報（検査情報：視標、固視標等）を表示する機能と、内部検者端末３又は外部検者端末５から送信された情報を表示する機能とを担う。後者は情報提示光学系の機能であり、ＬＣＤ２１４は情報提示光学系の表示部に相当する。更に、投射系２１３は、内部検者端末３又は外部検者端末５から送信された情報に相当するＬＣＤ２１４からの光束（表示光束）を光学素子２１２を介して被検眼Ｅに導く導光系の機能を奏する。つまり、本実施形態の検査部２１では、検査光学系と情報提示光学系とが共通の構成となっている。これに対し、検査光学系と情報提示光学系とを別々に構成することも可能であり、その例は後述される。
【００５０】
〈検査状況情報生成部２２ａ〉
検査状況情報生成部２２ａは、被検眼Ｅの検査の状況を表す検査状況情報を生成する。検査状況情報は、検査の進行状況（検査のフェーズ）、検査の途中結果（例えば、視力検査における視標の呈示履歴）、検査時間（例えば、検査開始時刻、経過時間）などを含む。眼科検査装置２が被検眼Ｅや被検者を撮影する機能を備える場合、検査状況情報は、被検眼Ｅ等の撮影画像（静止画像、動画像）を含んでよい。また、検査状況情報は、音声入力装置２３４を介して入力された被検者の音声情報を含んでよい。生成された検査状況情報は、例えば、内部検者端末３及び／又は外部検者端末５に送信され、検者によって参照される。また、本実施形態では、生成された検査状況情報は通信要求生成部２２ｂに送られる。検査状況情報生成部２２ａは、例えば、プロセッサと、検査を実施するためのコンピュータプログラム又はこれを監視するコンピュータプログラムとを含む。
【００５１】
なお、眼科検査装置２から内部検者端末３及び／又は外部検者端末５に向けて送信される情報の全てが検査状況情報生成部２２ａに処理される必要はない。例えば、被検眼Ｅの動画像や被検者の音声情報をそのまま内部検者端末３及び／又は外部検者端末５に向けて送信することができる。それにより、被検眼Ｅの状態や被検者の状態や被検者のリクエストを実質的にタイムラグなく検者に提供することができる。
【００５２】
〈通信要求生成部２２ｂ〉
通信要求生成部２２ｂは、内部検者及び／又は外部検者を読み出すための要求（通信要求）を生成する。通信要求生成部２２ｂは、被検者からの指示に対応して通信要求を生成する処理と、検査状況情報生成部２２ａにより生成された検査状況情報に基づいて通信要求を生成する処理との少なくとも一方を実行可能に構成される。
【００５３】
被検者からの指示はユーザインターフェイス部２３を用いて入力される。指示の入力は、例えば、後述の操作装置２３２及び／又は音声入力装置２３４を介して行われる。具体例として、被検者は、操作装置２３２を用いて、内部検者及び／又は外部検者を呼び出すための所定の操作（ボタンの押下、レバーの傾倒など）を行う。また、被検者は、後述の表示装置２３１により表示されているソフトウェアキーを操作装置２４２を用いて操作することにより、或いは、タッチパネルディスプレイに表示されているソフトウェアキーを指で操作することにより、呼び出し要求を入力することができる。また、検査内容を把握していない旨のメッセージや、内部検者及び／又は外部検者の指示を必要とする旨のメッセージを被検者が発声すると、その音声情報を音声入力装置２３４により検出することができる。本例によれば、被検者の要望に応じてアシストを提供することが可能である。
【００５４】
検査状況情報に基づき通信要求を生成する場合の例を説明する。検査状況情報生成部２２ａは、検査状況を監視しつつ検査状況情報を逐次に生成する。通信要求生成部２２ｂは、生成された検査状況情報が所定の条件に該当するか否か判定する。所定の条件としては、例えば、検査が進行していないこと、検査の途中結果（例えば、視力検査における視標の呈示履歴）が不適当であること、検査開始からの経過時間が長いこと、瞼が閉じている時間が長いこと、被検眼Ｅの固視が不適用であることなどがある。検査が進行していないことは、例えば、検査フェーズが所定時間以上移行していないこと（例えば同じ視標が提示されていること）を検出することによって認識される。検査の途中結果が不適当であることは、例えば、視標の提示順序が不適当であること（例えば、応答内容が収束していかないこと）を検出することによって認識される。瞼が閉じていることや被検眼Ｅの固視状態は、被検眼Ｅの撮影画像を解析することにより認識される。この画像解析は、例えば瞳孔の検出を含む。本例によれば、アシストが必要な状況を自動で検出することが可能である。
【００５５】
通信要求生成部２２ｂにより生成された通信要求は通信部２４によって他装置（管理装置４、内部検者端末３、外部検者端末５等）に送信される。
【００５６】
〈ユーザインターフェイス部２３〉
ユーザインターフェイス部２３は、被検者（及び内部検者）に向けた情報を出力する機能と、情報入力や操作指示を行うための機能とを備える。ユーザインターフェイス部２３は、前者の機能のための表示装置２３１及び音声出力装置２３３と、後者の機能のための操作装置２３２及び音声入力装置２３４とを含む。
【００５７】
表示装置２３１は、フラットパネルディスプレイ等の表示デバイスを含む。操作装置２３２は、眼科検査装置２の筐体や外部に設けられたボタン、キー、ジョイスティック、ノブ、操作パネル等の操作デバイスを含む。また、操作装置２３２は、眼科検査装置２に接続されたパーソナルコンピュータ等の操作デバイス（マウス、キーボード、トラックパッド、ボタン、タッチパネル等）を含んでよい。ユーザインターフェイス部２３は、表示装置２３１と操作装置２３２とが一体化されたタッチパネル等のデバイスや、グラフィカルユーザインターフェイス（ＧＵＩ）を含んでよい。また、ユーザインターフェイス部２３は、音声入力装置２３４から入力された被検者の音声に基づき操作や入力を行うためのプロセッサ及びコンピュータプログラムを含んでもよい。
【００５８】
音声出力装置２３３は、例えば、出力される音声情報（音声信号）を処理する回路と、処理された音声情報を出力するスピーカとを含む。また、音声入力装置２３４は、音声情報を電気信号に変換するマイクロフォンと、この電気信号を処理する回路とを含む。
【００５９】
〈通信部２４〉
通信部２４は、他装置（管理装置４、内部検者端末３、外部検者端末５等）との間でデータ通信を行う。データ通信の方式は任意である。例えば、通信部２４は、インターネットに準拠した通信インターフェイス、ＬＡＮに準拠した通信インターフェイス、近距離通信に準拠した通信インターフェイスなどを含む。データ通信は有線通信でも無線通信でもよい。通信部２４により送受信されるデータは暗号化されてよい。その場合、例えば、制御部２０は、送信データを暗号化する暗号化処理部と、受信データを復号化する復号化処理部とを含む。
【００６０】
眼科検査装置２は、管理装置４に記録される検査情報に含まれる情報、又は、その候補を、少なくとも一時的に記録するように構成されてよい。例えば、被検眼Ｅの検査が行われているときに、各種情報を記録することができる。記録される情報の例として、眼科検査装置２に入力された情報、眼科検査装置２の内部の情報、及び、眼科検査装置２が出力した情報などがある。
【００６１】
眼科検査装置２は、例えば、検査中に各種情報を逐次に記録し、蓄積された情報を所定のタイミングで管理装置４に送信するように構成される。このとき、眼科検査装置２は、予め設定されたルールにしたがって、記録される情報を選択することができる。
【００６２】
情報の送信タイミングは、例えば、被検眼Ｅの検査が終了したタイミング、所定期間が終了したタイミング、所定回数の検査が終了したタイミング、又は、ユーザ、他の検者、評価担当者若しくは外部装置（管理装置４等）から送信指示を受けたタイミングなどであってよい。
【００６３】
このような記録処理を眼科検査装置２が実行しない場合においては、被検眼Ｅの検査が行われているときに、眼科検査装置２は、各種情報をリアルタイムで管理装置４に送信する。この場合、眼科検査装置２は、予め設定されたルールにしたがって、管理装置４に送信する情報を選択するように構成されてよい。例えば、眼科検査装置２は、検者が入力した情報と被検者が入力した情報とを選択して管理装置４に送信するように構成される。
【００６４】
〈内部検者端末の構成〉
内部検者端末３の構成について説明する。図３に例示された内部検者端末３は、制御部３０と、ユーザインターフェイス（ＵＩ）部３１と、送信情報生成部３２と、通信部３３とを備える。
【００６５】
〈制御部３０〉
制御部３０は、内部検者端末３の各部の制御と、各種の演算処理とを実行する。制御部３０はプロセッサを含む。制御部３０は、更に、ＲＡＭ、ＲＯＭ、ハードディスクドライブ、ソリッドステートドライブなどを含んでいてよい。
【００６６】
〈出力制御部３０１〉
制御部３０は出力制御部３０１を含む。出力制御部３０１は、管理装置４に記録された検査情報に基づいてユーザインターフェイス部３１を制御する。特に、出力制御部３０１は、検査情報に基づく情報を表示装置３１１及び／又は音声出力装置３１３に出力させる。出力制御部３０１が実行する処理の詳細については後述する。
【００６７】
〈ユーザインターフェイス部３１〉
ユーザインターフェイス部３１は、ユーザに向けた情報を出力する機能と、ユーザが情報入力や操作指示を行うための機能とを備える。ユーザインターフェイス部３１は、眼科検査装置２のユーザインターフェイス２３と同様に、表示装置３１１、操作装置３１２、音声出力装置３１３、及び音声入力装置３１４を含む。
【００６８】
制御部３０は、例えば、眼科検査装置２から逐次に送信される検査状況情報を表示し、かつ、被検者への指示を入力するための画面（ＧＵＩ等）を表示装置３１１に表示させる。また、制御部３０は、被検者の音声情報を音声出力装置３１３に出力させる。検者は、表示情報や音声情報を参照して指示の内容を決定し、操作装置３１２を用いてそれを入力する。また、音声による指示は、音声入力装置３１４を介して入力される。
【００６９】
また、制御部３０は、例えば、他の検者端末（他の内部検者端末３、外部検者端末５等）から送信される情報を表示し、かつ、他の検者端末に送信される情報を入力するための画面（ＧＵＩ等）を表示装置３１１に表示させる。また、制御部３０は、他の検者端末に入力された音声情報を音声出力装置３１３に出力させる。検者は、他の検者端末から送信された表示情報や音声情報を参照して被検者や他の検者へのメッセージを決定し、操作装置３１２を用いてメッセージを入力する。また、音声によるメッセージは、音声入力装置３１４を介して入力される。
【００７０】
〈送信情報生成部３２〉
送信情報生成部３２は、検者がユーザインターフェイス３１を用いて入力した情報に基づいて、他装置のユーザ（眼科検査装置２を使用している被検者、他の検者端末を使用している検者等）に向けた情報（送信情報）を生成する。送信情報生成部３２は、例えば、プロセッサと、上記画面（ＧＵＩ）に連係して実行される送信情報生成プログラムとを含む。
【００７１】
なお、内部検者端末３から他装置に向けて送信される情報の全てが送信情報生成部３２に処理される必要はない。例えば、検者の動画像や音声情報をそのまま他装置に向けて送信することができる。それにより、検者のメッセージを実質的にタイムラグなく被検者や他の検者に提供することができる。
【００７２】
〈通信部３３〉
通信部３３は、他装置（眼科検査装置２、管理装置４、外部検者端末５等）との間でデータ通信を行う。データ通信の方式や暗号化については、眼科検査装置２の通信部２４と同様であってよい。
【００７３】
内部検者端末３は、管理装置４に記録される検査情報に含まれる情報、又は、検査情報に含まれる情報の候補を、少なくとも一時的に記録するように構成されてよい。例えば、内部検者端末３を用いて被検眼Ｅの検査、又は、他の検者への指示等を行っているときに、各種情報を記録することができる。記録される情報の例として、内部検者端末３に入力された情報、内部検者端末３の内部の情報、及び、内部検者端末３が出力した情報などがある。
【００７４】
内部検者端末３は、例えば、検査中に各種情報を逐次に記録し、蓄積された情報を所定のタイミングで管理装置４に送信するように構成される。このとき、内部検者端末３は、予め設定されたルールにしたがって、記録される情報を選択することができる。
【００７５】
情報の送信タイミングは、例えば、被検眼Ｅの検査が終了したタイミング、他の検査への指示等が終了したタイミング、所定期間が終了したタイミング、所定回数の検査が終了したタイミング、又は、ユーザ、他の検者、評価担当者若しくは外部装置（管理装置４等）から送信指示を受けたタイミングなどであってよい。
【００７６】
このような記録処理を内部検者端末３が実行しない場合においては、被検眼Ｅの検査が行われているときに、内部検者端末３は、各種情報をリアルタイムで管理装置４に送信する。この場合、内部検者端末３は、予め設定されたルールにしたがって、管理装置４に送信する情報を選択するように構成されてよい。例えば、内部検者端末３は、検者が入力した情報を選択して管理装置４に送信するように構成される。
【００７７】
〈外部検者端末の構成〉
外部検者端末５の構成について説明する。図４に例示された外部検者端末５は、制御部５０と、撮影部５１と、ユーザインターフェイス（ＵＩ）部５２と、送信情報生成部５３と、通信部５４とを備える。
【００７８】
〈制御部５０〉
制御部５０は、外部検者端末５の各部の制御と、各種の演算処理とを実行する。制御部５０はプロセッサを含む。制御部５０は、更に、ＲＡＭ、ＲＯＭ、ハードディスクドライブ、ソリッドステートドライブなどを含んでいてよい。
【００７９】
〈出力制御部５０１〉
制御部５０は出力制御部５０１を含む。出力制御部５０１は、管理装置４に記録された検査情報に基づいてユーザインターフェイス部５２を制御する。特に、出力制御部５０１は、検査情報に基づく情報を表示装置５２１及び／又は音声出力装置５２３に出力させる。出力制御部５０１が実行する処理の詳細については後述する。
【００８０】
〈撮影部５１〉
撮影部５１は、検者を動画撮影するために使用され、例えばビデオカメラを含む。撮影対象は、被検者への指示を表現するために用いられる身体部位（例えば、顔、上半身、手など）を含む。
【００８１】
〈ユーザインターフェイス部５２〉
ユーザインターフェイス部５２は、検者に向けた情報を出力する機能と、検者が情報入力や操作指示を行うための機能とを備える。ユーザインターフェイス部５２は、眼科検査装置２のユーザインターフェイス２３と同様に、表示装置５２１、操作装置５２２、音声出力装置５２３、及び音声入力装置５２４を含む。
【００８２】
制御部５０は、例えば、眼科検査装置２から逐次に送信される検査状況情報を表示し、かつ、被検者への指示を入力するための画面（ＧＵＩ等）を表示装置５２１に表示させる。また、制御部５０は、被検者の音声情報を音声出力装置５２３に出力させる。検者は、表示情報や音声情報を参照して指示の内容を決定し、操作装置５２２を用いてそれを入力する。また、音声による指示は、音声入力装置５２４を介して入力される。
【００８３】
また、制御部５０は、例えば、他の検者端末（内部検者端末３、他の外部検者端末５等）から送信される情報を表示し、かつ、他の検者端末に送信される情報を入力するための画面（ＧＵＩ等）を表示装置５２１に表示させる。また、制御部５０は、他の検者端末に入力された音声情報を音声出力装置５２３に出力させる。検者は、他の検者端末から送信された表示情報や音声情報を参照して被検者や他の検者へのメッセージを決定し、操作装置５２２を用いてメッセージを入力する。また、音声によるメッセージは、音声入力装置５２４を介して入力される。
【００８４】
〈送信情報生成部５３〉
送信情報生成部５３は、検者がユーザインターフェイス５２を用いて入力した情報に基づいて、他装置のユーザ（眼科検査装置２を使用している被検者、他の検者端末を使用している検者等）に向けた情報（送信情報）を生成する。送信情報生成部５３は、例えば、プロセッサと、上記画面（ＧＵＩ）に連係して実行される送信情報生成プログラムとを含む。
【００８５】
なお、外部検者端末５から他装置に向けて送信される情報の全てが送信情報生成部５３に処理される必要はない。例えば、検者の動画像や音声情報をそのまま他装置に向けて送信することができる。それにより、検者のメッセージを実質的にタイムラグなく被検者に提供することができる。
【００８６】
〈通信部５４〉
通信部５４は、他装置（眼科検査装置２、内部検者端末３、管理装置４等）との間でデータ通信を行う。データ通信の方式や暗号化については、眼科検査装置２の通信部２４と同様であってよい。
【００８７】
外部検者端末５は、管理装置４に記録される検査情報に含まれる情報、又は、検査情報に含まれる情報の候補を、少なくとも一時的に記録するように構成されてよい。例えば、外部検者端末５を用いて被検眼Ｅの検査、又は、他の検者への指示等を行っているときに、各種情報を記録することができる。記録される情報の例として、外部検者端末５に入力された情報、外部検者端末５の内部の情報、及び、外部検者端末５が出力した情報などがある。
【００８８】
外部検者端末５は、例えば、検査中に各種情報を逐次に記録し、蓄積された情報を所定のタイミングで管理装置４に送信するように構成される。このとき、外部検者端末５は、予め設定されたルールにしたがって、記録される情報を選択することができる。
【００８９】
情報の送信タイミングは、例えば、被検眼Ｅの検査が終了したタイミング、他の検査への指示等が終了したタイミング、所定期間が終了したタイミング、所定回数の検査が終了したタイミング、又は、ユーザ、他の検者、評価担当者若しくは外部装置（管理装置４等）から送信指示を受けたタイミングなどであってよい。
【００９０】
このような記録処理を外部検者端末５が実行しない場合においては、被検眼Ｅの検査が行われているときに、外部検者端末５は、各種情報をリアルタイムで管理装置４に送信する。この場合、外部検者端末５は、予め設定されたルールにしたがって、管理装置４に送信する情報を選択するように構成されてよい。例えば、外部検者端末５は、検者が入力した情報を選択して管理装置４に送信するように構成される。
【００９１】
〈管理装置４の構成〉
管理装置４の構成について説明する。図５に例示された管理装置４は、制御部４０と、通信確立部４１と、通信部４２と、再生処理部４３とを備える。これら構成要素の少なくとも１つは、例えば、図１Ｂに示すマスター管理装置６及び／又はローカル管理装置７−ｒに含まれるハードウェア資源とソフトウェアとの協働によって実現される。
【００９２】
〈制御部４０〉
制御部４０は、管理装置４の各部を制御する。例えば、制御部４０の一部（マスター制御部）はマスター管理装置６に設けられており、このマスター制御部が各ローカル管理装置７−ｒの制御を行う。制御部４０は、その他の演算処理を実行可能であってよい。制御部４０はプロセッサを含む。制御部４０は、更に、ＲＡＭ、ＲＯＭ、ハードディスクドライブ、ソリッドステートドライブなどを含んでいてよい。
【００９３】
制御部４０は、通信制御部４０１と、転送制御部４０２と、出力制御部４０３とを含む。
【００９４】
通信制御部４０１は、眼科検査装置２と内部検者端末３との間、眼科検査装置２と外部検者端末５の間、内部検者端末３と外部検者端末５との間、２以上の眼科検査装置２の間、２以上の内部検者端末３の間、２以上の外部検者端末５の間における、通信の確立に関する制御を実行する。例えば、通信制御部４０１は、複数の眼科検査装置２、１以上の内部検者端末３、及び１以上の外部検者端末５を含む複数の装置のうちから後述の選択部４１２によって選択された装置のそれぞれに向けて、通信を確立するための制御信号を送信することができる。
【００９５】
転送制御部４０２は、通信確立部４１（及び通信制御部４０１）により通信が確立された装置の間における情報のやりとりに関する制御を行う。例えば、転送制御部４０２は、通信確立部４１（及び通信制御部４０１）により通信が確立された少なくとも２つの装置のうちの１つの装置から送信された情報を、他の１以上の装置の少なくとも一部に転送する。
【００９６】
転送制御部４０２が実行する処理の具体例を説明する。眼科検査装置２と外部検者端末５との間の通信が確立された場合、転送制御部４０２は、眼科検査装置２（又は外部検者端末５）から送信された情報を外部検者端末５（又は眼科検査装置２）に転送する。このとき、転送制御部４０２は、眼科検査装置２等から送信された情報を加工して得られた情報を外部検者端末５等に送信するようにしてもよい。例えば、転送制御部４０２は、眼科検査装置２等から送信された情報の一部を抽出して外部検者端末５等に送信することができる。また、眼科検査装置２等から送信された情報（例えば被検眼Ｅの画像データ）を管理装置４又は他装置によって解析し、その解析結果（及び元の情報）を外部検者端末５等に送信するようにしてもよい。なお、情報の加工は、このような抽出や解析には限定されず、任意のデータ処理を含んでいてよい。
【００９７】
転送制御部４０２が実行する処理の他の具体例を説明する。２つの検者端末の間の通信が確立された場合、転送制御部４０２は、一の検者端末から送信された情報を他の検者端末に転送する。このとき、転送制御部４０２は、一の検者端末から送信された情報を加工して得られた情報を他の検者端末に送信するようにしてもよい。例えば、転送制御部４０２は、一の検者端末から送信された情報の一部を抽出して他の検者端末に送信することができる。また、一の検者端末から送信された情報（例えば撮影部５１により得られた画像データ）を管理装置４又は他装置によって解析し、その解析結果（及び元の情報）を他の検者端末に送信するようにしてもよい。なお、情報の加工は任意のデータ処理を含んでいてよい。
【００９８】
〈出力制御部４０３〉
出力制御部４０３は、管理装置４に記録された検査情報に基づき内部検者端末３を制御するための処理と、検査情報に基づき外部検者端末５を制御するための処理とを実行するように構成される。
【００９９】
出力制御部４０３は、例えば、内部検者端末３の出力制御部３０１と協働することによって、検査情報に基づく情報を表示装置３１１及び／又は音声出力装置３１３に出力させる。
【０１００】
同様に、出力制御部４０３は、例えば、外部検者端末５の出力制御部５０１と協働することによって、検査情報に基づく情報を表示装置５２１及び／又は音声出力装置５２３に出力させる。出力制御部５０１が実行する処理の詳細については後述する。
【０１０１】
本実施形態では、検査情報に基づく情報の出力制御を実行する要素（出力制御手段）が、内部検者端末３、外部検者端末５、及び管理装置４のそれぞれに設けられている。ただし、実施形態はこのような構成に限定されない。例えば、内部検者端末３、外部検者端末５、及び管理装置４のうちのいずれか１つ又はいずれか２つに出力制御手段が設けられた構成を適用することができる。２以上の装置に出力制御手段が設けられている場合、当該２以上の出力制御手段が協働するように構成してもよいし、各出力制御手段が独立に動作するように構成してもよい。
【０１０２】
〈通信確立部４１〉
通信確立部４１は、少なくとも１つの眼科検査装置２と少なくとも１つの検者端末とを含む少なくとも２つの装置の間の通信を確立するための処理を実行することができる。本実施形態において「通信の確立」とは、例えば、（１）通信が切断された状態から一方向通信を確立すること、（２）通信が切断された状態から双方向通信を確立すること、（３）受信のみが可能な状態から送信も可能な状態に切り替えること、（４）送信のみが可能な状態から受信も可能な状態に切り替えること、のうちの少なくとも１つを含む概念である。
【０１０３】
具体例として、「通信の確立」には、眼科検査装置２を使用して実施されている検査を内部検者端末３又は外部検者端末５を用いて検者が監視している状態（受信のみ可能な状態）から、被検者に指示を送信可能な状態に切り替えることが含まれてよい。他の具体例として、「通信の確立」には、一の検者端末を用いた検査のアシストの状況を他の検者端末を用いて監視している状態から、一の検者端末にメッセージを送信可能な状態に切り替えることが含まれてよい。
【０１０４】
更に、通信確立部４１は、確立されている通信を切断する処理を実行可能である。本実施形態において「通信の切断」とは、例えば、（１）一方向通信が確立された状態から通信を切断すること、（２）双方向通信が確立された状態から通信を切断すること、（３）双方向通信が確立された状態から一方向通信に切り替えること、（４）送信及び受信が可能な状態から受信のみが可能な状態に切り替えること、（５）送信及び受信が可能な状態から送信のみが可能な状態に切り替えること、のうちの少なくとも１つを含む概念である。
【０１０５】
具体例として、「通信の切断」には、外部検者端末５を用いて外部検者が被検者に指示を送信可能な状態（送信及び受信が可能な状態）から、検査の監視のみが可能な状態（受信のみ可能な状態）に切り替えることが含まれてよい。他の具体例として、「通信の切断」には、２つの検者端末の間の通信状態を、双方向通信から一方向通信又は無通信に切り替えることが含まれてよい。
【０１０６】
眼科検査装置２及び検者端末（内部検者端末３、外部検者端末５）のそれぞれは、他装置（そのユーザ）を呼び出すための通信要求（呼び出し要求）を他装置に送信することができる。また、眼科検査装置２及び検者端末（内部検者端末３、外部検者端末５）のそれぞれは、他の２つの装置の間の通信に割り込むための通信要求（割り込み要求）を他装置に送信することができる。眼科検査装置２及び検者端末（内部検者端末３、外部検者端末５）のそれぞれは、他種別の通信要求を送信可能であってもよい。通信要求は、手動又は自動で発信される。
【０１０７】
本例では、眼科検査装置２及び検者端末（内部検者端末３、外部検者端末５）のそれぞれは、管理装置４に通信要求を送信することができる。管理装置４（通信部４２）は、眼科検査装置２又は検者端末から送信された通信要求を受信し、この通信要求に応じた処理を実行する。
【０１０８】
実施形態において、通信確立部４１は選択部４１２を含んでいてよい。選択部４１２は、受信された通信要求に基づいて、眼科検査装置２、内部検者端末３、及び外部検者端末５のうち、通信要求を送信した装置以外の１以上の装置を選択する。
【０１０９】
例えば、眼科検査装置２からの通信要求を受けた場合、選択部４１２は、例えば、この眼科検査装置２が設置されている施設の内部検者端末３と、外部検者端末５のいずれかとを含む、２以上の検者端末を選択する。通信確立部４１は、選択された２以上の検者端末と、通信要求を発信した眼科検査装置２との間の通信を確立する。なお、眼科検査装置２と内部検者端末３との間の双方向通信等が既に確立されている場合、通信確立部４１は、例えば、この内部検者端末３以外の検者端末（当該施設又は他施設に設置された内部検者端末３、外部検者端末５等）と眼科検査装置２との間の通信の確立のみを実行してもよい。このような通信確立処理により、眼科検査装置２の被検者の要求に応じて検者を自動で選択して検査支援を提供することができる。
【０１１０】
他の例を説明する。検者端末（内部検者端末３又は外部検者端末５）からの通信要求を受けた場合、選択部４１２は、例えば、この内部検者端末３が設置されている施設の眼科検査装置２と、外部検者端末５のいずれかとを含む、２以上の検者端末を選択する。通信確立部４１は、選択された１以上の眼科検査装置２と１以上の検者端末と、通信要求を発信した検者端末との間の通信を確立する。例えば、通信要求を発信した検者端末と眼科検査装置２との間の双方向通信等が既に確立されている場合、通信確立部４１は、この検者端末以外の検者端末と眼科検査装置２との間の通信の確立のみを実行してもよい。このような通信確立処理により、検者の要求に応じて他の検者又は被検者を自動で選択して支援を提供することができる。
【０１１１】
通信要求に応じた装置の選択は、例えば、予め設定された属性に基づいて実行される。この属性の例として、検査の種別や、検査のアシストに要求される専門度・熟練度や、言語の種別や、ユーザの種別（例：評価担当者であるか否か）などがある。本例を実現するために、通信確立部４１は、予め作成された属性情報が記憶された記憶部４１１を含んでいてよい。
【０１１２】
本実施形態において、属性情報は、内部検者端末３及び／又はそのユーザ（内部検者）の属性を表す情報と、外部検者端末５及び／又はそのユーザ（外部検者）の属性を表す情報と、ユーザが評価担当者であるか否かを表す情報（及び／又は、当該ユーザが使用する検者端末が評価に用いられるか否かを表す情報）とを含んでよい。ここで、検者は、例えば、事前に割り当てられた検者ＩＤによって識別される。また、検者端末は、例えば、事前に割り当てられた装置ＩＤやネットワークアドレスによって識別される。典型的な例において、属性情報は、各検者（各ユーザ）の属性として、当該検者が支援可能な検査の種別と、当該検者の専門度・熟練度と、当該検者が使用可能な言語の種別とを含む。更に、典型的な属性情報は、ユーザが評価担当者であることを表す情報（及び、ユーザが評価担当者でないことを表す情報）を含む。
【０１１３】
他の例において、属性情報は、内部検者端末３及び／又はそのユーザ（内部検者）の属性を表す情報と、外部検者端末５及び／又はそのユーザ（外部検者）の属性を表す情報とのうちの一方を含んでいてよい。或いは、属性情報は、検者端末の種別を問わず、所定の検者端末又はそのユーザ（検者）の属性を示す情報を含んでいてもよい。属性情報に含まれる情報（検者端末、検者、属性等）を編集することができる。
【０１１４】
選択部４１２が属性情報を参照する場合、眼科検査装置２、内部検者端末３、又は外部検者端末５から送信される通信要求は、属性に関する情報を含んでいてよい。例えば、眼科検査装置２から送信される通信要求（例えば呼び出し要求）は、次のいずれかを含んでいてよい：（１）眼科検査装置２により実施されている検査の種別を示す情報；（２）検査支援の難易度を示す情報（検査が困難な被検眼又は被検者であることを示す情報、検査の進行状況を示す情報など）；（３）被検者の疾患名や年齢等を示す情報；（４）被検者の使用言語を示す情報。選択部４１２は、受信された通信要求と属性情報とに基づいて、いずれかの内部検者端末３及びいずれかの外部検者端末５の少なくとも一方を選択する。このとき、選択部４１２は、通信要求に含まれる属性に関する情報と、属性情報に含まれる情報とを照合する。それにより、選択部４１２は、例えば次のいずれかの検者に対応する内部検者端末３及び／又は外部検者端末５を選択する：（１）当該検査種別の支援が可能な検者；（２）当該難易度の検査の支援が可能な検者；（３）当該疾患や当該年齢の被検者の支援が可能な検者；（４）当該言語の使用が可能な検者。ここで、内部検者と内部検者端末３との対応、及び、外部検者と外部検者端末５との対応は、例えば、システムへのログイン時に検者端末（装置ＩＤが付与されている）に入力された検者ＩＤによってなされる。
【０１１５】
本実施形態において、２以上の検者を含むグループを設定することができる。グループは、例えば、検者又は他の者（例：評価担当者）によって設定される。グループの設定は、例えば、事前の登録により、又は、その都度の登録により行われる。
【０１１６】
複数のグループを設定可能である場合などには、各グループにＩＤが割り当てられる。このようなグループＩＤは、当該グループに含まれる検者のＩＤに関連付けられる。選択部４１２は、グループＩＤによってグループを識別することができる。また、選択部４１２は、グループＩＤと検者ＩＤとによって、グループと検者との組み合わせを認識することができる。より具体的には、選択部４１２は、グループＩＤと検者ＩＤとによって、特定のグループに含まれる検者を認識することができ、且つ、特定の検者が属するグループを認識することができる。なお、単一のユーザが２以上のグループに属していてもよい。
【０１１７】
〈通信部４２〉
通信部４２は、他装置（眼科検査装置２、内部検者端末３、外部検者端末５等）との間でデータ通信を行う。データ通信の方式や暗号化については、眼科検査装置２の通信部２４と同様であってよい。
【０１１８】
〈再生処理部４３〉
再生処理部４３は、前述した検査情報に基づいて情報を出力するための処理を実行する。それにより、過去に実施された検査の状況を再生（再現、リプレイ）することが可能となる。再生処理部４３は、記録処理部４３１と、記憶装置４３２と、検索部４３３とを含む。
【０１１９】
〈記録処理部４３１及び記憶装置４３２〉
記録処理部４３１及び記憶装置４３２は、眼科検査装置２と検者端末（内部検者端末３、外部検者端末５）との間でやりとりされた情報の少なくとも一部を含む検査情報を、当該検者端末の装置ＩＤ又は当該検者の検者ＩＤと関連付けて記録するよう構成される。
【０１２０】
前述したように、検者端末からの指示の下に眼科検査装置２を用いて被検眼Ｅの検査を行っているとき、又は、検査の後、検者端末及び眼科検査装置２のそれぞれから各種情報が管理装置４に送信される。
【０１２１】
また、管理装置４は、被検眼Ｅの検査に関与した眼科検査装置２及び検者端末について、眼科検査装置２の装置ＩＤと、検者端末の装置ＩＤ又は当該検者の検者ＩＤとを認識している。これら識別情報（ネットワークアドレス等、他の識別情報であってもよい）は、例えば、通信確立部４１から記録処理部４３１に供給される。
【０１２２】
なお、眼科検査装置２は、その装置ＩＤを各種情報とともに管理装置４に送信するように構成されてよい。この場合、記録処理部４３１は、被検眼Ｅの検査に関与した眼科検査装置２の装置ＩＤを、眼科検査装置２から取得することができる。同様に、検者端末は、その装置ＩＤ又は検者ＩＤを各種情報とともに管理装置４に送信するように構成されてよい。この場合、記録処理部４３１は、被検眼Ｅの検査に関与した検者端末の装置ＩＤ、又は、当該検者の検者ＩＤを、検者端末から取得することができる。
【０１２３】
記録処理部４３１は、被検眼Ｅの検査に関する情報をまとめて記憶装置４３２に格納する。この処理の例を説明する。記録処理部４３１は、被検眼Ｅの検査に関与した眼科検査装置２及び検者端末について、眼科検査装置２から送信された情報と、検者端末から送信された情報と、検者端末の装置ＩＤ（又は当該検者の検者ＩＤ）とを関連付ける。
【０１２４】
この関連付け処理において、又はその前若しくは後に、記録処理部４３１は、予め設定されたルールにしたがって、眼科検査装置２から送信された情報及び検者端末から送信された情報のうちから、検査情報に含まれる情報を選択することができる。なお、眼科検査装置２が情報選択処理を事前に実行した場合、眼科検査装置２から送信された情報からの選択を行う必要はない。同様に、検者端末が情報選択処理を事前に実行した場合、検者端末から送信された情報からの選択を行う必要はない。
【０１２５】
眼科検査装置２から送信された情報（又は、これから選択された情報）と、検者端末から送信された情報（又は、これから選択された情報）とを含む情報が、検査情報として定義される。
【０１２６】
記録処理部４３１は、検査情報と、検者端末の装置ＩＤ（又は当該検者の検者ＩＤ）とを、記憶装置４３２内に作成されたデータフォルダに格納する。このようなデータフォルダを検査フォルダと呼ぶ。検査フォルダは、例えば、１の被検眼又は１の被検者（左右両眼）の検査に関する情報が格納されたデータフォルダである。
【０１２７】
或いは、２以上の被検眼又は２以上の被検者の検査に関する情報を１つの検査フォルダに格納してもよい。例えば、検者端末の装置ＩＤ（又は当該検者の検者ＩＤ）毎に検査フォルダを作成することができる。この場合、検査フォルダ内にサブフォルダを作成してよい。サブフォルダは、例えば、被検眼毎、被検者毎、所定期間毎、検査種別毎など、所定の属性毎に作成される。
【０１２８】
他の例において、単一の検者端末の装置ＩＤ（又は単一の検者ＩＤ）について、所定期間毎に検査フォルダを作成することができる。この場合、検査フォルダ内にサブフォルダを作成してよい。サブフォルダは、例えば、被検眼毎、被検者毎、検査種別毎など、所定の属性毎に作成される。
【０１２９】
更に他の例において、複数の検者が属するグループ毎に検査フォルダを作成することができる。この場合、検査フォルダ内にサブフォルダを作成してよい。サブフォルダは、例えば、検者毎、被検眼毎、被検者毎、所定期間毎、検査種別毎など、所定の属性毎に作成される。
【０１３０】
各検査フォルダには識別情報（検査ＩＤ）が割り当てられる。サブフォルダが作成された場合には、サブフォルダにも識別情報が割り当てられる。更に、検査種別を示す識別情報、検査日、検査条件等を、検査フォルダに格納したり、検査フォルダに関連付けたりすることができる。
【０１３１】
このようなデータ構成を採用することで、眼科検査システム１において実施された複数の検査に関する情報を体系的且つ統合的に管理することができる。なお、検査情報及びＩＤを管理するための構成は上記の例に限定されず、眼科検査装置と検者端末との間でやりとりされた情報の少なくとも一部を含む検査情報を、当該検者端末の識別情報又は当該検者の識別情報と関連付けて記録するように構成されていればよい。
【０１３２】
〈検索部４３３〉
過去に実施された検査の状況を再生する際には、まず、所望の検者端末の装置ＩＤ、所望の検者の検者ＩＤ、又は所望のグループのグループＩＤが、眼科検査システム１に入力される。
【０１３３】
典型的には、評価担当者又は検者がＩＤを入力する。また、例えばセカンドオピニオンを得るために、これら以外の者（例：被検者、外部の医師、外部のオプトメトリスト）がＩＤを入力できるように、眼科検査システム１を構成することも可能である。
【０１３４】
ＩＤの入力は、典型的には、検者端末を用いて行われる。なお、検者端末以外の任意の装置（コンピュータ、眼科装置、医用装置等）を用いてＩＤを入力してもよい。入力されたＩＤは、管理装置４に送られる。管理装置４の制御部４０は、通信部４２を介して受け付けたＩＤを検索部４３３に送る。
【０１３５】
検索部４３３は、制御部４０から入力されたＩＤに関連付けられた検査情報を記憶装置４３２から検索する。上記したデータ構成が適用される場合、検索部４３３は、例えば、入力されたＩＤ（装置ＩＤ、検者ＩＤ）を記憶装置４３２内において探索し、このＩＤが含まれる検査フォルダを特定する。特定された検査フォルダに格納されている検査情報が、入力されたＩＤに関連付けられた検査情報である。なお、入力されたＩＤが記憶装置４３２内に存在しない場合、管理装置４は、例えば、検索エラーが発生したことを、ＩＤが入力された装置に通知する。
【０１３６】
ＩＤを入力した者又は他の者は、検査状況の再生の提供を受ける者、又は、検査状況を再生出力する装置を指定することができる。この指定は、例えば、次のいずれかを含んでよい：グループＩＤを入力すること；複数の検者等を逐次に指定すること（例：複数の検者ＩＤ等を逐次に入力又は指定すること）；複数の検者端末等を逐次に指定すること（例：複数の検者端末の装置ＩＤ等を逐次に入力又は指定すること）。
【０１３７】
検査状況の再生の提供を受ける検者等の指定結果は、管理装置４に送信される。通信確立部４１は、指定された検者等に対応する検者端末等のそれぞれと、管理装置４との間の通信を確立する。これにより確立された通信によって、これら検者端末等を用いて検査状況を再生することが可能となる。
【０１３８】
〈使用形態〉
本実施形態の眼科検査システム１の使用形態の典型的な例を説明する。
【０１３９】
まず、眼科検査システム１の使用形態の例として、被検者が検者にアシストを要求するための処理を説明する。本例では図６を参照する。
【０１４０】
（Ｓ１：検査開始）
複数の眼科検査装置２−ｉｎのいずれかである眼科検査装置２を用いた被検眼Ｅの検査が開始される。なお、眼科検査装置２と１以上の検者端末（内部検者端末３及び／又は外部検者端末５）との間の通信（一方向通信又は双方向通信）をこの段階から開始するようにしてもよい。また、検査の開始を受けて、眼科検査装置２の制御部２０は、検査状況情報生成部２２ａに検査状況情報の生成を開始させる。
【０１４１】
（Ｓ２：検者呼び出し要求）
被検者は、検者のアシストが必要なとき、ユーザインターフェイス部２３を利用して検者を呼び出す。検者のアシストが必要なときの例として、検査のやり方が分からないとき、使用言語を理解できないとき、疲れたとき、検査のステップを戻したいときなどがある。また、呼び出し要求を入力するためのユーザインターフェイス部２３の利用方法の例として、操作装置２３２による所定の操作の実施や、音声入力装置２３４による音声の入力がある。
【０１４２】
（Ｓ３：要求・情報の送信）
制御部２０は、ステップＳ２で入力された検者呼び出し要求（通信要求）を所定の情報とともに管理装置４に送信するよう通信部２４を制御する。検者呼び出し要求とともに送信される情報の例として、眼科検査装置２に予め割り当てられた識別情報（装置ＩＤ）、被検者に予め割り当てられた識別情報（被検者ＩＤ）、眼科検査装置２が設置された施設に予め割り当てられた識別情報（施設ＩＤ）、現時点までに生成された検査状況情報の少なくとも一部、検者呼び出し要求の内容などがある。
【０１４３】
（Ｓ４：検者端末の選択）
管理装置４は、ステップＳ３で眼科検査装置２から送信された検者呼び出し要求及び情報を通信部４２によって受信する。選択部４１２は、当該被検者をアシストする検者を選択する。つまり、選択部４１２は、当該被検者が検査を行っている施設に設置された内部検者端末３、他の施設に設置された内部検者端末３、及び、外部検者端末５のうち、少なくとも１つを選択する。
【０１４４】
典型的な例では、当該被検者が検査を行っている施設に設置された内部検者端末３と眼科検査装置２とはステップＳ１の段階で通信が開始されており、ステップＳ４の段階では、当該内部検者端末３と異なる１以上の検者端末（同施設又は他施設に設置された内部検者端末３、及び／又は、外部検者端末５）が選択される。
【０１４５】
検者端末を選択する処理の例を説明する。選択部４１２は、例えば、それぞれの検者端末（内部検者端末３、各外部検者端末５）の稼動状態（通信の確立情報）を監視する機能を備えていてよい。選択部４１２は、この監視機能により、現在稼働していない検者端末（アシストを現在行っていない検者、アシストを行っているが余裕のある検者、アシストの予約が入っていない検者など）のいずれかを選択することができる。それにより、他の被検者に対するアシストを現在行っていない検者を、呼び出し要求を送った被検者のアシストに割り当てることができる。
【０１４６】
なお、上記監視機能は、例えば、定期的又は非定期的に検者端末から入力される情報や、検者端末に送信した情報に対する反応などに基づいて、各検者端末の稼動状態をフラグ等で管理することにより実現可能である。
【０１４７】
他の例において、選択部４１２は、内部検者端末３及び外部検者端末５を含む複数の検者端末のうち、通信要求に対応する検者端末について、通信が現に確立されているか否か判定することができる。当該検者端末の通信が確立されていない場合、選択部４１２は、当該検者端末と眼科検査装置２との間の通信を確立することができる。他方、当該検者端末の通信が既に確立されている場合、選択部４１２は、他の検者端末と眼科検査装置２との間の通信を確立することができる。
【０１４８】
具体例を説明する。当該施設内の全ての内部検者端末３が稼働中である場合、つまり、当該施設内の内部検者端末３のそれぞれと、他の眼科検査装置２及び／又は外部検者端末５との間の通信が確立されている場合、選択部４１２は、例えば、他施設内に設置された内部検者端末３及び／又は外部検者端末５のうち、稼働中でない検者端末のいずれかを選択することができる。
【０１４９】
他方、当該施設内のいずれかの内部検者端末３が稼働中でない場合、選択部４１２は、稼働中でない内部検者端末３のいずれかを選択することができる。
【０１５０】
本例によれば、複数の検者端末の稼働状態を総合的に勘案することで、被検者へのアシストを迅速に提供することができる。なお、本例についても、例えば、各検者端末の稼動状態をフラグ等により管理することで実現される。
【０１５１】
（Ｓ５：通信確立のための制御信号の送信）
通信制御部４０１は、ステップＳ４で選択された検者端末のそれぞれに、当該検者端末と眼科検査装置２との間の通信を確立するための制御信号を送信する。図６の例において、検者端末は、内部検者端末３又は外部検者端末５であってよい。
【０１５２】
（Ｓ６：双方向通信の開始）
ステップＳ５で送信された制御信号により、検者端末と眼科検査装置２との間の双方向通信が確立される。このとき、更に、２以上の検者端末の間の通信を確立することもできる。なお、前述したように、これ以前の段階で通信を確立するように構成してもよい。
【０１５３】
（Ｓ７：撮影開始）
ステップＳ５で眼科検査装置２と外部検者端末５との間の通信が確立された場合、管理装置４の転送制御部４０２は、ステップＳ３で眼科検査装置２から送信された情報をこの外部検者端末５に送る。外部検者端末５の制御部５０は、撮影部５１を制御して検者の動画撮影を開始させる。このとき、検者が発する音声の入力も開始される。撮影部５１により逐次に取得されるフレームは、リアルタイムで管理装置４を介して眼科検査装置２に転送される。この処理は転送制御部４０２によって実行される。
【０１５４】
ステップＳ５で眼科検査装置２と内部検者端末３との間の通信が確立された場合においても、同様の撮影を行うことができる。例えば、眼科検査装置２と他施設に設置された内部検者端末３との間の通信が確立された場合であって、この内部検者端末３が撮影部（図４に示す撮影部５１と同様の構成を有する）を備えている場合、同様の処理を実行することができる。具体例において、管理装置４の転送制御部４０２は、ステップＳ３で眼科検査装置２から送信された情報をこの内部検者端末３に送る。内部検者端末３の制御部３０は、図示しない撮影部を制御して検者の動画撮影を開始させる。このとき、検者が発する音声の入力も開始される。撮影部により逐次に取得されるフレームは、リアルタイムで管理装置４を介して眼科検査装置２に転送される。この処理は転送制御部４０２によって実行される。
【０１５５】
ステップＳ４で選択された２以上の検者端末の間の通信が確立された場合においても、同様の撮影を行うことができる。例えば、眼科検査装置２と同じ施設に設置された内部検者端末３と、外部検者端末５（又は他施設に設置された内部検者端末３）との間の通信が確立された場合、同様の処理を実行することができる。具体例において、外部検者端末５の制御部５０は、撮影部５１を制御して検者の動画撮影を開始させる。このとき、検者が発する音声の入力も開始される。撮影部５１により逐次に取得されるフレームは、リアルタイムで管理装置４を介して内部検者端末３に転送される。この処理は転送制御部４０２によって実行される。
【０１５６】
（Ｓ８：動画表示・音声出力の開始）
眼科検査装置２は、外部検者端末５（及び／又は内部検者端末３）から逐次に送信されるフレーム及び音声情報を受信する。出力制御部２０１は、逐次に受信されるフレームをＬＣＤ２１４にリアルタイムで表示させる。それにより、検者の動画像がリアルタイムで表示される。また、出力制御部２０１は、逐次に受信される音声情報を音声出力装置２３３にリアルタイムで出力させる。それにより、検者の音声がリアルタイムで出力される。
【０１５７】
このような連係動作により、被検者は、検者の顔や身振り手振りや音声をリアルタイムで把握することができる。逆に、検者も、被検者の音声や操作をリアルタイムで把握することができる。このような双方向の情報のやりとりは、主として管理装置４の転送制御部４０２によって実現される。
【０１５８】
同様に、ステップＳ４で選択された２以上の検者端末の間の通信が確立された場合、２以上の検者端末のうちの一の検者端末は、他の検者端末から逐次に送信されるフレーム及び音声情報を受信する。典型例では、眼科検査装置２と同じ施設に設置された内部検者端末３が「一の検者端末」であり、外部検者端末５又は他施設に設置された内部検者端末３が「他の検者端末」である。この場合、眼科検査装置２と同じ施設に設置された内部検者端末３の制御部３０は、外部検者端末５（又は他施設に設置された内部検者端末３）から逐次に受信されるフレームを表示装置３１１にリアルタイムで表示させる。それにより、外部検者端末５（又は他施設に設置された内部検者端末３）を使用する検者の動画像がリアルタイムで表示される。また、制御部３０は、外部検者端末５（又は他施設に設置された内部検者端末３）から逐次に受信される音声情報を音声出力装置３１３にリアルタイムで出力させる。それにより、外部検者端末５（又は他施設に設置された内部検者端末３）を使用する検者の音声がリアルタイムで出力される。
【０１５９】
このような連係動作により、他の検者のサポートを受けたい検者に対してリアルタイムでサポートを提供することができる。このような双方向の情報のやりとりは、主として管理装置４の転送制御部４０２によって実現される。
【０１６０】
（Ｓ９：情報の表示開始）
検者によるアシスト作業を容易化するために、検者端末（内部検者端末３、外部検者端末５等）の制御部（制御部３０、５０等）は、前述した画面（ＧＵＩ等）を表示装置（表示装置３１１、５２１等）に表示させる。更に、検者端末（内部検者端末３、外部検者端末５等）の制御部（制御部３０、５０等）は、眼科検査装置２から管理装置４を介して転送された情報（特に検査状況情報）をこの画面に表示させることができる。新たな検査状況情報を受けると、制御部（制御部３０、５０等）は表示内容を更新する。それにより、検者は、眼科検査装置２を用いて行われている検査の状況を実質的にリアルタイムで把握することができ、視覚情報や音声情報を利用して適切なタイミングで適切なアシストを提供することができる。
【０１６１】
（Ｓ１０：指示の入力開始）
検者は、操作装置（操作装置３１２、５２２等）及びＧＵＩ等を利用して、所望の指示を入力する。指示の内容の例として、検査の変更、文字列情報の提示、画像情報の提示などがある。また、ＧＵＩ以外の手段を利用した指示として、身振り手振りによる指示や、音声による指示などがある。
【０１６２】
（Ｓ１１：情報の生成開始）
外部検者端末５の送信情報生成部５３は、ステップＳ１０で入力された内容（指示）に基づいて、被検者に向けた送信情報を生成する。送信情報の生成は、例えば、検者が指示の入力を行う度に実行される。
【０１６３】
また、内部検者端末３の送信情報生成部３２は、ステップＳ１０で入力された内容（指示）に基づいて、被検者に向けた送信情報を生成する。送信情報の生成は、例えば、検者が指示の入力を行う度に実行される。
【０１６４】
ステップＳ４で選択された２以上の検者端末の間の通信が確立された場合、外部検者端末５の送信情報生成部５３は、他の検者端末に向けた送信情報を生成することができる。同様に、内部検者端末３の送信情報生成部３２は、他の検者端末に向けた送信情報を生成することができる。
【０１６５】
（Ｓ１２：情報の送信開始）
検者端末（外部検者端末５、内部検者端末３）は、ステップＳ１１で生成された送信情報を管理装置４を介して眼科検査装置２に送信する。この処理は転送制御部４０２によって実現される。
【０１６６】
同様に、ステップＳ４で選択された２以上の検者端末の間の通信が確立された場合、一の検者端末は、ステップＳ１１で生成された送信情報を管理装置４を介して他の検者端末に送信する。この処理は転送制御部４０２によって実現される。
【０１６７】
（Ｓ１３：アシスト開始）
眼科検査装置２は、ステップＳ１２で検者端末から送信された送信情報を受信する。出力制御部２０１は、送信情報に基づいて、検者の動画像や指示をＬＣＤ２１４に表示させる。
【０１６８】
同様に、ステップＳ１２で一の検者端末から他の検者端末に送信情報が送信された場合、他の検者端末は、一の検者端末から送信された送信情報を受信し、この送信情報に基づいてメッセージを表示する。
【０１６９】
次に、眼科検査システム１の使用形態の例として、検者のアシストを受けつつ検査が行われるときに実行される処理を説明する。本例では図７を参照する。
【０１７０】
上記した処理により、被検眼Ｅの検査を検者がアシストすることが可能となる。まず、検者から被検者に提供される指示の具体例を説明する。前述したように、検者は、検者端末（例えば外部検者端末５）を使用して、被検者に向けた指示（検査の変更、文字列情報の提示、画像情報の提示等）を入力する。また、外部検者端末５には撮影部５１及び音声入力装置５２４が設けられているので、外部検者は、身振り手振りによる指示や、音声による指示を行うことができる。
【０１７１】
眼科検査の例として不等像視検査がある。不等像視検査には、ニューアニセイコニア検査（Ｎｅｗ  Ａｎｉｓｅｉｋｏｎｉａ  Ｔｅｓｔ）や、コの字型視標を用いた検査（コの字検査）がある。ニューアニセイコニア検査は、不同視の可能性のある被検者に対して、近見での不等像視が許容範囲を超えているか否か、つまり、両眼での融像が有効に行われているか否かを知るために行われる。一方、コの字検査は、遠見での不等像視が許容範囲を超えているか否かを知るために行われる。本例では、コの字検査が行われる場合について説明する。
【０１７２】
コの字検査において眼科検査装置２が被検者に提示する情報の例を図８Ａ及び図８Ｂに示す。眼科検査装置２は、被検者の左眼及び右眼に対して異なる情報を同時に提示することができる。そのための構成の例として、単一のディスプレイ（例：ＬＣＤ２１４）と、偏光部材との組み合わせがある。他の例では、眼科検査装置２は、左眼用ディスプレイ２１４Ｌと右眼用ディスプレイ２１４Ｒとを別々に備える。
【０１７３】
図８Ａ及び図８Ｂに示す例では、左眼用視標６００Ｌが左眼用ディスプレイ２１４Ｌに表示され、且つ、右眼用視標６００Ｒが右眼用ディスプレイ２１４Ｒに表示される。左眼用視標６００Ｌは、右方に開放したコの字型視標６０１Ｌと、融像刺激６０２Ｌとを含む。右眼用視標６００Ｒは、左方に開放したコの字型視標６０１Ｒと、融像刺激６０２Ｒとを含む。
【０１７４】
眼科検査装置２を用いたコの字検査をアシストするための検者端末に表示される画面の例を図９に示す。画面１０００には、提示情報表示領域１０１０Ｌ及び１０１０Ｒと、通信内容表示領域１０２０と、利用状況表示領域１０３０と、ユーザ情報表示領域１０４０と、提示情報操作領域１０５０とが設けられている。
【０１７５】
提示情報表示領域１０１０Ｌ及び１０１０Ｒには、それぞれ、被検者の左眼及び右眼に提示されている情報が表示される。本例では、眼科検査装置２は、被検者の左右両眼に同時に情報を提示可能に構成されている。
【０１７６】
眼科検査装置２には、例えば、左眼用の検査光学系及び情報提示光学系と、右眼用の検査光学系及び情報提示光学系とが互いに独立に設けられている（例えば、左眼用光学ヘッドと右眼用光学ヘッドとが設けられている）。
【０１７７】
他の例として、眼科検査装置２は、単一の検査光学系からの光束を二分割し、一方を左眼に、他方を右眼にそれぞれ導くように構成されていてもよい。
【０１７８】
更に他の例として、この眼科検査装置２は、単一の情報提示光学系からの光束を二分割し、一方を左眼に、他方を右眼にそれぞれ導くように構成されていてもよい。左右両眼に同時に情報を提示可能な構成はこれらに限定されず、任意の構成であってよい。
【０１７９】
図９に示す提示情報表示領域１０１０Ｌ及び１０１０Ｒには、コの字検査用の視標が表示されている。これらは、眼科検査装置２により被検者に現在提示されている視標である。現在提示されている視標を示す情報（視標情報）は、眼科検査装置２から管理装置４に送信され、更に、転送制御部４０２により検者端末（例えば外部検者端末５。内部検者端末３でもよい。）に転送される。
【０１８０】
外部検者端末５の制御部５０は、管理装置４から転送された視標情報に基づいて、眼科検査装置２が現在提示している視標の種別を特定し、特定された視標を表す画像を提示情報表示領域１０１０Ｌ及び１０１０Ｒに表示させる。
【０１８１】
視標を表す画像は、例えばサムネイルとして制御部５０内の記憶装置（図示せず）に予め記憶されている。或いは、視標情報が、視標を表す画像を含んでいてもよい。
【０１８２】
眼科検査装置２により提示される視標が変更されると、上記転送処理をリアルタイムで実行する。それにより、外部検者端末５を使用する検者は、眼科検査装置２により提示されている視標を実質的にリアルタイムで認識することができる。
【０１８３】
通信内容表示領域１０２０には、検者と被検者との間の通信内容、特に、検者から被検者に提供された支援の内容が表示される。また、検者同士の通信内容を通信内容表示領域１０２０に表示することもできる。
【０１８４】
表示される情報は、外部検者により提供された情報、内部検者により提供された情報、及び、被検者からの情報（質問内容、応答内容等）のうちの少なくともいずれかを含んでよい。
【０１８５】
また、ユーザ（外部検者、内部検者、被検者）毎の情報を通信内容表示領域１０２０に切り替え表示できるようにしてもよい。また、１以上のユーザからの情報を時系列順に表示させることも可能である。
【０１８６】
図９に示す例では、検者ＩＤ「０００１」で特定される検者（画面１０００を使用している本人）が発した質問の内容と、それに対する被検者の応答の内容とが、通信内容表示領域１０２０に表示されている。
【０１８７】
検者や被検者が発した音声情報を公知の音声認識技術を用いてテキスト化して表示することも可能である。また、所定の操作に対して予め関連付けられたテキスト情報を表示するようにしてもよい。
【０１８８】
利用状況表示領域１０３０には、眼科検査装置２が設置されている複数の施設の名称「店舗Ａ」、「店舗Ｂ」等が表示されている。更に、これら施設のうちから検者又は管理装置４等が選択した施設（例えば店舗Ｂ）に設置された複数の眼科検査装置２の識別情報「装置１」、「装置２」等が表示されている。
【０１８９】
図９に示す例では、施設の名称の左側に提示されたマークが選択の有無を示している。例えば、店舗Ａ及び店舗Ｃに付された白星マークは、その施設が選択されていないことを示し、且つ、店舗Ｂに付された黒星マークは、その施設が選択されていることを示す。なお、このような星マーク群をラジオボタンとして構成することができる。この場合、検者は、これら施設のうちから所望の１つを選択することができる。
【０１９０】
更に、選択された店舗Ｂに設置された装置の識別情報の左側に提示されたマークも同様に、検者又は管理装置４等による選択の有無を示している。図９に示す例では、白丸マークは選択されていないことを示し、且つ、黒丸マークは選択されていることを示している。図９に示す例では、この検者が支援を担当する眼科検査装置２（被検者）として、店舗Ｂに設置された識別情報「装置１」の眼科検査装置２が選択されている。なお、このような丸マーク群をラジオボタンとして構成することができる。この場合、検者は、これら眼科検査装置２のうちから所望の１つを選択することができる。
【０１９１】
眼科検査装置２の識別情報の右側には、時間情報（例えば、支援を開始した時刻、支援開始からの経過時間等）と、眼科検査装置２に関する通信確立状態（通信モード）とが提示されている。
【０１９２】
ここで通信モードについて説明する。本実施形態では、４つの通信モードを選択的に適用することができる。また、一の通信モードから他の通信モードへの移行を任意に行うことが可能である。
【０１９３】
通信モード１は、眼科検査装置２による検査を被検者が単独で行っている状態を示す。通信モード１では、被検者は、内部検者からも外部検者からも支援を受けていない。更に、眼科検査装置２は、内部検者端末３との間の通信も、外部検者端末５との間の通信も確立されていない。なお、前述したように、通信モード１が適用されているときであっても、眼科検査装置２からの情報（検査状況情報、画面１０００に表示される情報等）をいずれかの検者端末に送信することができる。それにより、眼科検査装置２による検査を監視することができ、検者は、必要に応じて通信要求を発して支援を開始することができる。また、被検者が支援を要請したとき、その要請に迅速に対応することができる。
【０１９４】
通信モード２は、外部検者（又は、他施設に居る内部検者）からの支援を受けながら検査を行っている状態を示す。通信モード２では、眼科検査装置２と外部検者端末５（又は、他施設に設置された内部検者端末３）との間の通信が確立されている。なお、前述したように、通信モード２が適用されているときであっても、眼科検査装置２からの情報を、眼科検査装置２と同じ施設に設置された内部検者端末３に送信することができる。それにより、同施設に居る内部検者は、例えば、直接アシストする必要が生じたときに迅速に対応することができる。
【０１９５】
通信モード３は、眼科検査装置２と同じ施設に居る内部検者からの支援を受けながら検査を行っている状態を示す。通信モード３では、眼科検査装置２と、同施設内に設置された内部検者端末３との間の通信が確立されている。なお、前述したように、通信モード３が適用されているときであっても、眼科検査装置２からの情報を外部検者端末５（又は、他施設に設置された内部検者端末３）に送信することができる。それにより、外部検者（又は、他施設に居る内部検者）は、例えば、眼科検査装置２と同じ施設に居る内部検者が手に負えないような状況が発生したときに迅速に対応することができる。
【０１９６】
通信モード４は、眼科検査装置２と同じ施設に居る内部検者と、外部検者（又は、他施設に居る内部検者）との双方に支援を受けながら検査を行っている状態を示す。通信モード４では、眼科検査装置２と２以上の検者端末とを含む３以上の装置の間で通信が確立されている。典型的な例においては、眼科検査装置２と、眼科検査装置２と同じ施設に設置された内部検者端末３と、外部検者端末５（又は、他施設に設置された内部検者端末３）との三者間の通信が確立される。
【０１９７】
通信モード４は、例えば、２以上の検者が話し合う必要がある場合や、一の検者が他の検者に教育を施す場合などに適用される。なお、管理装置４の転送制御部４０２は、検者同士の間での通信内容を眼科検査装置２に送信しないように制御を行うことが可能である。例えば、転送制御部４０２は次のような制御を行うことができる：眼科検査装置２が設置された施設に居る内部検者から外部検者に向けた情報を外部検者端末５のみに転送する；外部検者から内部検者に向けた情報を内部検者端末３のみに転送する；内部検者から被検者に向けた情報を外部検者端末５及び眼科検査装置２に転送する；外部検者から被検者に向けた情報を内部検者端末３及び眼科検査装置２に転送する；眼科検査装置２から出力された情報を外部検者端末５及び内部検者端末３に転送する。
【０１９８】
通信モードの切り替えは、例えば、被検者又は検者からの通信要求（呼び出し要求、割り込み要求）を受けた管理装置４によって実行される。具体例において、通信モード１のときに被検者からの呼び出し要求が発生すると、通信モード２、３又は４に切り替えられる。どの通信モードに切り替えられるかは、例えば、被検者又は検者による指定や、検査状況情報の内容や、前述した属性などに応じて決定される。
【０１９９】
通信モード１のときに、同施設内に居る内部検者からの割り込み要求が発生すると、通信モード３又は４に切り替えられる。同様に、通信モード１のときに外部検者（又は、他施設に居る内部検者）からの割り込み要求が発生すると、通信モード２又は４に切り替えられる。また、通信の切断（通信確立状態からの離脱）は、例えば、本人の選択や、被検者の選択や、検査の終了などに応じて行われる。
【０２００】
ユーザ情報表示領域１０４０には、眼科検査システム１のユーザ（被検者、検者）に関する情報が提示される。図９に示す例では、測定データ表示部１０４１と、顔画像表示部１０４２と、被検眼画像表示部１０４３Ｌ及び１０４３Ｒとが、ユーザ情報表示領域１０４０に設けられている。
【０２０１】
測定データ表示部１０４１には、被検者の各眼の測定値（屈折度、乱視度、乱視軸角度、加入度、視力値等）等、各種測定データが表示される。
【０２０２】
眼画像表示部１０４２には、撮影部５１により取得された検者の顔画像、眼科検査装置２により取得された被検者の顔画像などが表示される。
【０２０３】
被検眼画像表示部１０４３Ｌには左被検眼の前眼部像が表示され、且つ、被検眼画像表示部１０４３Ｒには右被検眼の前眼部像が表示される。
【０２０４】
更に、氏名、年齢、性別、疾患名、使用言語、検査困難度など、ユーザに関する任意の情報を、ユーザ情報表示領域１０４０に提示することも可能である。
【０２０５】
提示情報操作領域１０５０には、被検者に提示される情報を操作するためのＧＵＩ（ソフトウェアキー等）が設けられている。図９に示す例では、視標選択操作部１０５１と、選択視標提示部１０５２と、操作ダイヤル１０５３と、操作ボタン部１０５４とが設けられている。
【０２０６】
視標選択操作部１０５１は、被検者に提示される視標を選択するためのＧＵＩである。本例の視標選択操作部１０５１は、視標の選択肢（例：リスト、サムネイル等）が提示される。選択視標提示部１０５２には、現在選択されている視標が提示される。
【０２０７】
操作ダイヤル１０５３は、視標の選択、度数等のパラメータの設定などに用いられる。操作ボタン部１０５４には、各種の操作ボタンが設けられている。本例の操作ボタン部１０５４には、度数等のパラメータの正負（プラス、マイナス）を切り替えるためのボタン、印刷ボタン、エクスポートボタン、確認検査に移行するためのボタン、検査を終了するためのボタンが設けられている。
【０２０８】
外部検者端末５を使用する検者は、操作装置５２２を用いることで、提示情報操作領域１０５０に設けられたソフトウェアキー等を操作する。同様に、内部検者端末３を使用する検者は、操作装置３１２を用いることで、提示情報操作領域１０５０に設けられたソフトウェアキー等を操作する。
【０２０９】
以上の準備に基づき、図７に示す処理を説明する。
【０２１０】
（Ｓ２０：記録開始）
管理装置４は、検査情報を記録するための処理を所定のタイミングで開始する。このタイミングは、例えば、眼科検査装置２と外部検者端末５との間の通信を確立するための制御信号を送信するタイミング（図６のステップＳ５）、又は、眼科検査装置２と外部検者端末５との間の双方向通信を開始したタイミング（ステップＳ６）であってよい。
【０２１１】
或いは、検査の開始（ステップＳ１）に対応して記録処理を開始することができる。この場合において、検者のアシストに移行しなかったときには、その段階までに記録された情報を破棄してもよい。
【０２１２】
ステップＳ２０において、記録処理部４３１は、当該検査に対応する検査フォルダを作成することができる。以下、この検査フォルダに情報が記録される。
【０２１３】
記録処理部４３１は、計時機能（タイマー）を備えていてよい。タイマーは、例えば、記録開始タイミングを基準として計時を開始する。或いは、記録処理部４３１は、時計機能を備えていてよい。タイマー又は時計機能により得られる情報を時間情報と呼ぶ。
【０２１４】
以下、眼科検査システム１において処理される情報のうち、少なくとも記憶装置４３２に記録される情報に対し、記録処理部４３１は、それに対応する時間情報を関連付けることができる。それにより、情報が生成された時間や、情報が処理された時間や、情報が記録された時間等を記録することが可能となる。
【０２１５】
なお、眼科検査装置２及び／又は検者端末が時間情報を生成するようにしてもよい。その場合、眼科検査装置２は、時間情報を生成する機能と、情報に時間情報を関連付ける機能を含んでよい。これら機能は、例えば、制御部２０又は検査状況情報生成部２２ａ等により実現される。眼科検査装置２は、時間情報が関連付けられた情報を管理装置４に送信する。
【０２１６】
同様に、外部検者端末５は、時間情報を生成する機能と、情報に時間情報を関連付ける機能を含んでよい。これら機能は、例えば、制御部５０又は送信情報生成部５３等により実現される。外部検者端末５は、時間情報が関連付けられた情報を管理装置４に送信する。内部検者端末３についても同様の構成を備えていてよい。
【０２１７】
タイマー及び時計機能が使用されない場合において、記録処理部４３１は、情報を順序付けて記録するように構成されてよい。例えば、検査時に眼科検査装置２及び／又は検査端末からリアルタイムで情報が入力される場合、記録処理部４３１は、その入力順序を示す順序情報を、記録される情報に関連付けることができる。時間情報は、このような順序情報であってもよい。
【０２１８】
（Ｓ２１：指示等の入力）
外部検者は、画面１０００、ユーザインターフェイス部５２、撮影部５１等によって、眼科検査装置２を制御するための指示等、被検者に向けた指示等を入力する。入力された指示等は、管理装置４に送られる。また、管理装置４は、この指示等を眼科検査装置２に転送する。
【０２１９】
（Ｓ２２：指示内容等の記録）
記録処理部４３１は、外部検者端末５から送信された指示等の少なくとも一部を記憶装置４３２に記録することができる。このとき、記録処理部４３１は、指示等と所定のルールとを照合して、この指示等を記録するか否か判定することができる。
【０２２０】
（Ｓ２３：指示等に応じた制御）
眼科検査装置２の制御部２０は、外部検者端末５から送信され、管理装置４により転送された指示等に基づいて、検査部２１、ユーザインターフェイス部２３等を制御する。典型的には、制御部２０は、検査の変更、視標の変更、音声出力、表示出力等のための制御を実行する。
【０２２１】
（Ｓ２４：検査を進める）
ステップＳ２３の制御に応じて検査が進められる。眼科検査装置２は、制御の内容、被検者の応答内容、取得されたデータ等を管理装置４に送る。管理装置４は、眼科検査装置２から受信した情報の少なくとも一部を外部検者端末５に転送する。
【０２２２】
具体例を説明する。ステップＳ２１において検者が「（現在提示されているコの字視標について）右と左の大きさはどうですか？」と音声等で質問を入力した場合、ステップＳ２３において眼科検査装置２は、この質問を音声又は表示により出力する。被検者は、出力された質問に対し、音声又は操作により応答する。
【０２２３】
（Ｓ２５：制御内容等の記録）
記録処理部４３１は、眼科検査装置２から送信された情報の少なくとも一部を記憶装置４３２に記録することができる。このとき、記録処理部４３１は、眼科検査装置２から送信された情報と所定のルールとを照合して、この情報を記録するか否か判定することができる。
【０２２４】
（Ｓ２６：検査状況の出力）
外部検者端末５の制御部５０は、眼科検査装置２から送信され、管理装置４により転送された情報に基づいて、ユーザインターフェイス部５２等を制御する。典型的には、制御部５０は、被検者の応答内容、検者の指示によらずに眼科検査装置２が実行した制御の内容などに基づいて、検査状況を示す情報を出力する。
【０２２５】
具体例を説明する。コの字検査における「右と左の大きさはどうですか？」という質問に対して被検者が「同じ大きさです」と応答した場合、制御部５０は、この応答内容に応じた文字列を通信内容表示領域１０２０に表示することができる。このときの画面１０００の状態が図９に表されている。また、制御部５０は、被検者の応答内容を、被検者の音声又は合成音声で出力することができる。
【０２２６】
（Ｓ２７：記録終了？）
ステップＳ２１〜Ｓ２６の処理は、記録完了の指示まで繰り返される（Ｓ２７：Ｎｏ）。
【０２２７】
記録完了の指示があったとき（Ｓ２７：Ｙｅｓ）、処理はステップＳ２８に進む。記録完了の指示は、自動又は手動で入力される。例えば、当該検者、当該被検者、他の検者（評価担当者等）が、記録完了の指示を入力することができる。他の例は、当該被検者の検査が完了したとき、眼科検査装置２又は当該検者端末から管理装置４に、記録完了の指示を入力する。更に他の例は、当該検者によるアシストが終了したとき（通信が切断されたとき、他の検者による割り込みがあったとき等）、眼科検査装置２、当該検者端末、他の検者端末、又は、管理装置４が、記録完了の指示を生成することができる。
【０２２８】
（Ｓ２８：検査情報の保存）
記録完了の指示を受け（Ｓ２７：Ｙｅｓ）、記録処理部４３１は、今回の検査に関する検査情報を作成して保存する。このとき、記録処理部４３１は、ステップＳ２２、Ｓ２５で（暫定的に）記録された情報、所定のタイミングで眼科検査装置２又は外部検者端末５から送信された情報などに基づいて、検査情報を作成することができる。
【０２２９】
眼科検査システム１は、以上のようにして検査情報を記録することができる。次に、検査情報に基づく情報の再生処理の例を説明する。本例では図１０を参照する。
【０２３０】
（Ｓ４０：再生要求の入力）
まず、過去に実施された検査状況の再生を所望する検者等が、検者端末（内部検者端末３、外部検者端末５）を用いて要求を入力する。なお、検者端末以外のコンピュータを用いて再生要求の入力や検査状況の再生を行ってもよい。
【０２３１】
再生要求は、少なくとも、再生を所望する検査に関与した検者又は検者端末の識別情報（検者ＩＤ又は装置ＩＤ）を含む。或いは、再生要求は、グループＩＤを含んでもよい。また、検査状況の再生が行われる１以上の検査端末（コンピュータ）を任意に指定することも可能である。
【０２３２】
他の例において、所望の検査を検索するためのクエリを入力するようにしてもよい。典型的には、検査種別、検査日、検者の属性、疾患名等、任意のクエリを入力することができる。
【０２３３】
更に他の例において、検査状況の再生のためのＧＵＩを用いることができる。このＧＵＩには、例えば、検査リスト、検査種別リスト、検者リスト、検査日リスト、グループリスト等が提示される。検者は、提示されたリストのうちから所望の選択肢を指定することができる。再生要求は、指定された選択肢を示す情報を含む。
【０２３４】
検者端末に入力された再生要求は、管理装置４に送信される。管理装置４は、この検者端末との間における通信を確立する。
【０２３５】
（Ｓ４１：検査情報の検索）
管理装置４は、ステップＳ４０で検者端末から送られた再生要求を受信する。検索部４３３は、この再生要求に含まれる検者ＩＤ又は装置ＩＤ（或いはグループＩＤ）に関連付けられた検査情報を記憶装置４３２から検索する。
【０２３６】
（Ｓ４２：再生制御の開始）
ステップＳ４１で検索された検査情報は出力制御部４０３に送られる。出力制御部４０３は、この検査情報に基づく再生処理の制御を開始する。
【０２３７】
前述したように、再生処理の制御は、管理装置４の出力制御部４０３、及び、検者端末の出力制御部（３０１、５０１）の少なくともいずれかによって実行される。
【０２３８】
（Ｓ４３：検査情報の送信）
出力制御部４０３は、ステップＳ４１で検索された検査情報を検者端末等に送信するように通信部４２を制御する。
【０２３９】
検査情報の送信先は、例えば、ステップＳ４０で検者が再生要求を入力した検査端末を含む。
【０２４０】
ステップＳ４０で他の検査端末（コンピュータ）が指定された場合、管理装置４は、指定された検査端末それぞれとの間における通信を確立し、且つ、これら検者端末それぞれに検査情報を送信する。このとき、検査情報とともに、再生処理の実行指示等を送信することができる。
【０２４１】
（Ｓ４４：再生制御の開始）
検者端末等（内部検者端末３、外部検者端末５等）は、ステップＳ４３で送信された検査情報等を受信する。出力制御部（３０１、５０１等）は、受信された検査情報に基づく情報を、表示装置（２３１、５２１等）及び／又は音声出力装置（２３３、５２３等）に出力させる。検査情報に基づく再生処理については後述する。
【０２４２】
（Ｓ４５：再生終了？）
検者等が再生処理の終了を指示するまで（Ｓ４５：Ｎｏ）、再生処理が継続される。検者等が再生処理の終了を指示すると（Ｓ４５：Ｙｅｓ）、処理はステップＳ４６に進む。
【０２４３】
（Ｓ４６：再生制御の終了）
検者等が検者端末を用いて再生処理の終了を指示すると（Ｓ４５：Ｙｅｓ）、これに対応する信号が管理装置４に送られる。管理装置４の出力制御部４０３は、ステップＳ４２で開始された再生制御を終了する。
【０２４４】
検者端末等を用いて実行される再生制御について説明する。典型的な例において、検査時にユーザが実際に知覚した情報の少なくとも一部を再現しつつ検査状況の再生を実行することができる。例えば、検者が実際に見た画面や、検者が実際に聞いた音声や、被検者が実際に見た情報や、被検者が実際に聞いた音声などを再現することができる。
【０２４５】
ここで、検査時の出力態様と再生時の出力態様とは同じでなくてよい。例えば、視覚情報を音声情報に変換して再生することや、音声情報を視覚情報に変換して再生することができる。
【０２４６】
検者端末が、検査のアシストのためのユーザインターフェイス（例：画面１０００）を含む場合、出力制御部（３０１、５０１等）は、このユーザインターフェイスの少なくとも一部を表すユーザインターフェイス情報とともに検査情報に基づく情報を表示装置（３１１、５２１等）に表示させることができる。ユーザインターフェイス情報は、任意の情報を含んでよく、例えば、表示画面、表示情報、ソフトウェアキー、ハードウェアキーの画像などを含む。
【０２４７】
ユーザインターフェイス情報が表示される場合、出力制御部（３０１、５０１等）は、現在再生中のフェーズにおいて操作中のキーや入力中の情報を識別できるように、ユーザインターフェイス情報の表示制御と検査情報に基づく情報の表示制御とを同期的に実行することができる。
【０２４８】
以下、例示として、図９の画面１０００の一部がユーザインターフェイス情報として表示される場合について説明する。画面１０００は、コの字検査をアシストするための検者端末に表示される画面である。
【０２４９】
図１１に示す画面２０００は、画面１０００の一部と同様の表示領域が設けられている。具体的には、画面１０００と同一又は類似の表示領域として、画面２０００は、提示情報表示領域２０１０Ｌ及び２０１０Ｒと、通信内容表示領域２０２０と、ユーザ情報表示領域２０４０と、提示情報操作領域２０５０の一部とを含む。
【０２５０】
更に、画面１０００と異なる表示領域として、画面２０００は、試験情報表示領域２０２５と、支援状況表示領域２０３０と、提示情報操作領域２０５０の一部とを含む。
【０２５１】
提示情報表示領域２０１０Ｌ及び２０１０Ｒには、それぞれ、現在再生中のフェーズにおいて被検者の左眼及び右眼に提示されていた情報が表示される。被検眼に適用されている屈折度数等（ユーザ情報表示領域２０４０に表示されている屈折度数等）の影響を、提示情報表示領域２０１０Ｌ及び２０１０Ｒに表示される視標等に反映することができる。例えば、屈折度数等に応じてボケた視標を表示させることができる。
【０２５２】
現在再生中のフェーズにおいて被検者に提示された情報が変更された場合、提示情報表示領域２０１０Ｌ及び２０１０Ｒの表示態様を変更することができる。例えば、提示情報表示領域２０１０Ｌ及び２０１０Ｒの枠の色を切り替えることができる。
【０２５３】
通信内容表示領域２０２０には、現在再生中のフェーズ又はその直前のフェーズにおいて検者と被検者との間でやりとりされた内容が表示される。また、現在再生中のフェーズ又はその直前のフェーズにおいて検者同士の間でやりとりされた内容を通信内容表示領域２０２０に表示することもできる。
【０２５４】
現在再生中のフェーズにおいて検者と被検者との間でやりとりされている場合、通信内容表示領域２０２０の表示態様を変更することができる。例えば、通信内容表示領域２０２０の枠の色を切り替えることができる。
【０２５５】
試験情報表示領域２０２５には、検査状況の再生中に検者と検者との間でやりとりされる情報が表示される。典型的には、遠隔地にいる評価担当者から当該検者端末を使用している検者に向けた質問と、この質問に対する検者の回答とが、試験情報表示領域２０２５に表示される。例えば、図１１に示す例では、被検者の実際の応答が通信内容表示領域２０２０に表示されているが（「同じ大きさです」）、これとは異なる応答がなされた場合について評価担当者が質問している（「左が大きいと言ったら？」）。この質問に対し、検者は、ユーザインターフェイス部（３１、５２等）を用いて回答することができる。
【０２５６】
なお、２以上の検者端末（コンピュータ）で並行して検査状況の再生を行う場合、眼科検査システム１は、これら検者端末に同期的に情報を出力させることができる。この同期制御は、例えば、２以上の検者端末の出力制御部（３０１、５０１等）を、管理装置４の出力制御部４０３で統括的に制御することによって実現される。このような機能は、遠隔指導、遠隔教育、カンファレンス等のために使用可能である。
【０２５７】
検者と検者との間でやりとりがなされているとき、試験情報表示領域２０２５の表示態様を変更することができる。例えば、試験情報表示領域２０２５の枠の色を切り替えることができる。
【０２５８】
支援状況表示領域２０３０には、再生中の検査に関与した検者及び眼科検査装置２に関する情報が表示される。図１１に示す例において、検者に関する情報は、検者ＩＤ「０００１」と、検者端末の設置店舗の識別情報「Ｃ」と、検者端末の識別情報「１」とを含む。更に、眼科検査装置２に関する情報は、眼科検査装置２の設置店舗の識別情報「Ｂ」と、眼科検査装置２の識別情報「２」とを含む。
【０２５９】
支援状況表示領域２０３０には、各種操作を行うためのソフトウェアキーが設けられている。図１１に示す例では、メニューボタン２０３１と、リプレイボタン２０３２と、Ｑ＆Ａボタン２０３３とが設けられている。メニューボタン２０３１は、画面２０００により提供可能な各種メニューを選択するために操作される。リプレイボタン２０３２は、検査状況の再生を開始するために操作される。Ｑ＆Ａボタン２０３３は、質問や回答やメッセージを入力するためのウインドウを表示させるために操作される。
【０２６０】
ユーザ情報表示領域２０４０には、再生中の検査に関与したユーザ（被検者、検者）に関する情報が提示される。画面１０００と同様に、ユーザ情報表示領域２０４０は、測定データ表示部２０４１と、顔画像表示部２０４２と、被検眼画像表示部２０４３Ｌ及び２０４３Ｒとを含む。
【０２６１】
測定データ表示部２０４１には、現在再生中のフェーズにおいて被検眼に適用されている度数（屈折度、乱視度、乱視軸角度、加入度、視力値等）等が表示される。顔画像表示部２０４２には、現在再生中のフェーズにおいて撮影部５１により取得された検者の顔画像が表示される。被検眼画像表示部２０４３Ｌ及び２０４３Ｒには、現在再生中のフェーズにおいて眼科検査装置２により取得された前眼部像が表示される。
【０２６２】
現在再生中のフェーズにおいてユーザ情報が変化した場合、ユーザ情報表示領域２０４０の表示態様を変更することができる。例えば、被検眼に適用される度数が変更されているとき、測定データ表示部２０４１中の当該度数の欄の色を変更することができる。
【０２６３】
提示情報操作領域２０５０には、画面１０００と同様に、視標選択操作部２０５１と、選択視標提示部２０５２と、操作ダイヤル２０５３とが設けられている。
【０２６４】
視標選択操作部２０５１には、現在再生中のフェーズにおいて視標選択操作部１０５１に提示されていた視標群が表示される。選択視標提示部２０５２には、現在再生中のフェーズにおいて選択されていた視標が提示される。操作ダイヤル２０５３は、現在再生中のフェーズにおける操作ダイヤル１０５３の状態を提示する。現在再生中のフェーズにおいて操作ダイヤル１０５３が操作されているときと操作されていないときとで、操作ダイヤル２０５３の表示態様を変更することができる。
【０２６５】
更に、提示情報操作領域２０５０には再生操作部２０５４が設けられている。再生操作部２０５４は、映像データを操作するためのインターフェイスと同様の構成を有するソフトウェアキーである。具体的には、再生操作部２０５４は、再生フェーズを示すバー、再生ボタン、停止ボタン、早送りボタン、巻き戻しボタン等を含む。
【０２６６】
画面２０００を用いた検査状況の再生に用いられる検査情報の例を図１２に示す。検査情報３０００は、検査において発生した複数のイベントに対応する複数の情報を、時間情報と関連付けて記録した情報である。
【０２６７】
より具体的には、検査情報３０００は、検者端末と眼科検査装置２との間の通信を確立した状態で実施された検査において、検者端末に関して発生した複数のイベントに対応する複数の情報Ｌα（α＝１，２，・・・，Ａ）と、眼科検査装置２に関して発生した複数のイベントに対応する複数の情報Ｍβ（β＝１，２，・・・，Ｂ）とを、時間情報ｔに関連付けた情報である。情報Ｌαと時間情報ｔ＝ｔαとが関連付けられていることを「Ｌα（ｔα）」と表す。同様に、情報Ｍβと時間情報ｔ＝ｔβとが関連付けられていることを「Ｍβ（ｔβ）」と表す。
【０２６８】
イベントは、検査に関連する任意のイベントであってよく、例えば、ユーザから他のユーザへのメッセージ（指示等）、装置の制御、検査前の準備、検査後の後処理等を含む。また、前述したように、予め設定されたルールにしたがって検査情報３０００に記録されるイベントを選択することができる。
【０２６９】
出力制御部（４０３、３０１、５０１等）は、検査情報３０００に記録された複数のイベントの時間的順序にしたがって、これらイベント対応する複数の情報に基づくユーザインターフェイス部（３１、５２等）の制御を順次に実行することができる。それにより、複数のイベントの発生順序や発生タイミングに応じて、画面２０００の表示状態を切り替えたり、画面２０００とともに表示される情報を変化させたり、音声情報を出力させたりすることができる。
【０２７０】
ユーザは、検査フェーズを指定することができる。例えば、再生操作部２０５４に設けられたバーやボタンを操作することによって所望の検査フェーズを指定できる。出力制御部は、例えば、指定された検査フェーズ（時間情報ｔ）に発生したイベントに対応する情報、又は、指定された検査フェーズの直前又は直後に発生したイベントに対応する情報を表示することができる。或いは、出力制御部は、指定された検査フェーズに発生したイベントに対応する情報から、検査状況の再生を開始することができる。
【０２７１】
なお、図１２のようにイベントと検査フェーズとが関連付けられている場合、検査フェーズの指定とイベントの指定とは実質的に同じことである。
【０２７２】
出力制御部は、検査の流れの概要を表す情報（検査概要情報）を表示させることができる。検査概要情報は、例えば、複数のイベント（検査項目、検査フェーズ等を含んでもよい）を示す情報が時系列順に配列されたリスト、フロー図、索引等であってよい。検査概要情報は、例えば、画面２０００に付帯して表示される。
【０２７３】
検査概要情報を表示することで、検査において不要な指示等がされたこと、指示すべき事項が抜けたこと等を、容易に把握することができる。また、現在再生されている検査フェーズが検査全体の中のどこに位置しているか、容易に把握することができる。
【０２７４】
検査概要情報が表示される場合、ユーザは、ユーザインターフェイス部を用いることで、検査概要情報から所望のイベント（検査項目、検査フェーズ等）を指定することができる。出力制御部は、例えば、指定されたイベントに対応する情報を検査情報から特定し、特定された情報を表示することができる。或いは、出力制御部は、指定されたイベントに対応する情報から、検査状況の再生を開始することができる。
【０２７５】
〈作用・効果〉
実施形態の作用及び効果について説明する。
【０２７６】
実施形態の眼科検査システムは、複数の眼科検査装置（２）と、複数の検者端末（３、５）とを含む。更に、眼科検査システムは、記録手段と、検索手段と、出力制御手段とを含む。
【０２７７】
記録手段は、眼科検査装置と検者端末との間でやりとりされた情報の少なくとも一部を含む検査情報を、当該検者端末の識別情報（装置ＩＤ）又は当該検者の識別情報（検者ＩＤ）と関連付けて記録する。上記の実施形態では、管理装置４に設けられた記録処理部４３１と記憶装置４３２との組み合わせが記録手段として機能している。
【０２７８】
検索手段は、検者端末の識別情報（装置ＩＤ）又は検者の識別情報（検者ＩＤ）の入力を受け、当該識別情報に関連付けられた検査情報を記録手段から検索する。上記の実施形態では、検索部４３３が検索手段として機能している。
【０２７９】
出力制御手段は、検索手段により検索された検査情報に基づいて出力手段に情報を出力させる。上記の実施形態では、出力制御部３０１、４０３及び５０１のうちのいずれか１つ又はいずれか２つ以上の組み合わせが、出力制御手段として機能している。
【０２８０】
出力手段は、眼科検査システムに含まれてもよいし、含まれなくてもよい。複数の検者端末の少なくとも一部が出力手段を含んでいてよい。また、複数の検者端末の少なくとも一部に出力手段が接続されていてよい。
【０２８１】
このような実施形態によれば、検査時に眼科検査装置と検者端末との間でやりとりされた情報を含む検査情報を検者毎（又は検者端末毎）に記録し、検者の指示等を事後的に再現することができる。したがって、検者の能力や癖を比較的容易に且つ詳細に把握することができる。それにより、検査の品質を担保・向上することができる。特に、遠隔検査の品質についても担保・向上することが可能である。
【０２８２】
実施形態において、複数の検者端末のそれぞれはユーザインターフェイスを含んでよい。更に、出力手段は表示手段を含んでよい。加えて、出力制御手段は、ユーザインターフェイスの少なくとも一部を表すユーザインターフェイス情報とともに、検査情報に基づく情報を表示手段に表示させるよう構成されてよい。上記の実施形態では、ユーザインターフェイス部３１、５２がユーザインターフェイスとして機能している。また、表示装置３１１、５２１が表示手段として機能している。
【０２８３】
このような実施形態によれば、検査時に検者が実際に見ていた画面や情報を用いて検査状況の再生を行うことができる。したがって、検査時の検者の状況を把握しやすい。それにより、検者の能力や癖を比較的容易に且つ詳細に把握することができる。
【０２８４】
実施形態において、出力制御手段は、ユーザインターフェイス情報の表示制御と検査情報に基づく情報の表示制御とを同期的に実行するように構成されてよい。
【０２８５】
このような実施形態によれば、現在再生されている検査フェーズにおいて操作中のキーや入力中の情報を容易に把握することができる。それにより、検者の能力や癖を評価する作業の容易化を図ることができる。
【０２８６】
実施形態において、出力手段は表示手段を含んでいてよい。更に、出力制御手段は、検査情報に基づいて、当該検査における複数のイベントを時系列順に示すイベント情報を表示手段に表示させるように構成されてよい。上記の実施形態の検査概要情報は、イベント情報の例である。
【０２８７】
このような実施形態によれば、検査の流れの概要を容易に把握することができる。それにより、検査において不要な指示等がされたこと、指示すべき事項が抜けたこと等を、容易に把握することができる。また、現在再生されている検査フェーズが検査全体の中のどこに位置しているか、容易に把握することができる。
【０２８８】
実施形態の眼科検査システムは、イベント情報に示された複数のイベントのいずれかを指定するための第１操作手段を更に含んでいてよい。出力制御手段は、第１操作手段を用いて指定されたイベントに対応する情報を検査情報から特定し、特定された情報に基づいて出力手段を制御するように構成されてよい。上記の実施形態では、操作装置３１２、５２２が第１操作手段として機能している。
【０２８９】
このような実施形態によれば、表示されたイベント情報に対して所望のフェーズを指定して検査状況を再現することができる。ここで、指定された検査フェーズのみを再現してもよいし、そこから再生を開始してもよい。
【０２９０】
実施形態において、出力制御手段は、検査情報に基づく情報を複数の出力手段に同期的に出力させるように構成されてよい。上記の実施形態では、複数の検者端末の出力制御部（３０１、５０１等）を管理装置４の出力制御部４０３が統括的に制御することによって、複数の出力手段の動作を同期させている。
【０２９１】
このような実施形態によれば、複数の出力手段で同時に検査状況の再生できる。したがって、この実施形態は、例えば、遠隔的な指導や教育、カンファレンス等において有効に利用できる。
【０２９２】
実施形態において、記録手段は、眼科検査装置を用いた検査における複数のイベントに対応する複数の情報を時間情報と関連付けて記録することによって検査情報を生成するように構成されてよい。上記の実施形態の検査情報３０００は、このような検査情報の例である。
【０２９３】
このような実施形態によれば、検査の流れにしたがって時系列で情報を記録することができる。それにより、検査におけるイベントとその発生タイミングとを把握することが可能となる。
【０２９４】
実施形態において、出力制御手段は、時間情報を参照することにより、複数のイベントの時間的順序にしたがって複数の情報に基づく出力手段の制御を順次に実行するように構成されてよい。
【０２９５】
このような実施形態によれば、検査時に発生した複数のイベントの内容だけでなく、これらイベントの時間的な流れを把握することができる。
【０２９６】
実施形態の眼科検査システムは、複数のイベントのいずれかを指定するための第２操作手段を更に含んでいてよい。出力制御手段は、第２操作手段を用いて指定されたイベントに対応する情報を複数の情報のうちから特定し、特定された情報に基づいて出力手段を制御するように構成されてよい。上記の実施形態では、操作装置３１２、５２２が第２操作手段として機能している。
【０２９７】
このような実施形態によれば、検査時に発生した複数のイベントのうちから所望のイベントを指定して検査状況を再現することができる。ここで、指定された検査フェーズのみを再現してもよいし、そこから再生を開始してもよい。
【０２９８】
実施形態の眼科検査システムは、再生の対象となる被検者が特定されないように、個人情報やそれに類する情報を削除する機能を備えていてよい。削除される情報項目は、例えば事前に設定されている。
【０２９９】
〈眼科検査管理装置〉
【０３００】
実施形態の眼科検査管理装置は、複数の眼科検査装置のそれぞれ及び複数の検者端末のそれぞれと通信可能である。更に、眼科検査管理装置は、記録手段と、検索手段と、出力制御手段とを含む。上記の実施形態では、管理装置４が眼科検査管理装置として機能している。
【０３０１】
記録手段は、眼科検査装置と検者端末との間でやりとりされた情報の少なくとも一部を含む検査情報を、当該検者端末の識別情報又は当該検者の識別情報と関連付けて記録する。上記の実施形態では、記録処理部４３１と記憶装置４３２との組み合わせが記録手段として機能している。
【０３０２】
検索手段は、検者端末の識別情報又は検者の識別情報の入力を受け、当該識別情報に関連付けられた検査情報を記録手段から検索する。上記の実施形態では、検索部４３３が検索手段として機能している。
【０３０３】
出力制御手段は、検索手段により検索された検査情報に基づいて出力手段に情報を出力させる。上記の実施形態では、出力制御部４０３が出力制御手段として機能している。なお、出力制御部４０３は、出力制御部３０１、５０１と連係的に動作するように構成されてもよい。
【０３０４】
出力手段は、眼科検査管理装置に含まれてもよいし、含まれなくてもよい。複数の検者端末の少なくとも一部が出力手段を含んでいてよい。また、複数の検者端末の少なくとも一部に出力手段が接続されていてよい。
【０３０５】
このような実施形態によれば、検査時に眼科検査装置と検者端末との間でやりとりされた情報を含む検査情報を検者毎（又は検者端末毎）に記録し、検者の指示等を事後的に再現することができる。したがって、検者の能力や癖を比較的容易に且つ詳細に把握することができる。それにより、検査の品質を担保・向上することができる。特に、遠隔検査の品質についても担保・向上することが可能である。
【０３０６】
実施形態の眼科検査管理装置は、実施形態の眼科検査システムの任意の特徴（構成、動作、作用等）を備えていてよい。例えば、実施形態の眼科検査管理装置は、上記の実施形態の管理装置４が具備する任意の特徴を備えていてよい。
【０３０７】
以上に説明した実施形態は本発明の典型的な例示に過ぎない。よって、本発明の要旨の範囲内における任意の変形（省略、置換、付加等）を適宜に施すことが可能である。
【符号の説明】
【０３０８】
１  眼科検査システム
２  眼科検査装置
２１  検査部
２０  制御部
２２ａ  検査状況情報生成部
２２ｂ  通信要求生成部
２３  ユーザインターフェイス部
２４  通信部
３  内部検者端末
３０  制御部
３０１  出力制御部
３１  ユーザインターフェイス部
３２  送信情報生成部
３３  通信部
４  管理装置
４０  制御部
４０１  出力制御部
４０１  通信制御部
４０２  転送制御部
４１  通信確立部
４１１  記憶部
４１２  選択部
４２  通信部
４３  再生処理部
４３１  記録処理部
４３２  記憶装置
４３３  検索部
５  外部検者端末
５０  制御部
５１  撮影部
５２  ユーザインターフェイス部
５３  送信情報生成部
５４  通信部
１０００、２０００  画面
３０００  検査情報
【図１Ａ】
2018143526.tif 000003
【図１Ｂ】
2018143526.tif 000004
【図２】
2018143526.tif 000005
【図３】
2018143526.tif 000006
【図４】
2018143526.tif 000007
【図５】
2018143526.tif 000008
【図６】
2018143526.tif 000009
【図７】
2018143526.tif 000010
【図８Ａ】
2018143526.tif 000011
【図８Ｂ】
2018143526.tif 000012
【図９】
2018143526.tif 000013
【図１０】
2018143526.tif 000014
【図１１】
2018143526.tif 000015
【図１２】
2018143526.tif 000016